(57)【要約】【課題】遊技盤の盤面に設けられる案内レールに対する組み付け構成に工夫を凝らし、当該案内レールに対し円滑に組み付け得るようにしたパチンコ遊技機のための球戻り防止装置及び遊技盤を提供する。【解決手段】球戻り防止装置２００の球止め機構２００ｃは、支持ピン２８０ｄの両延出端部を両突出壁２５０の各凹所内に収容することで、主部材２００ａの基板２１０上にて両突出壁２５０の間に組み付けられている。副部材２００ｂは、球止め機構２００ｃを介し主部材２００ａに組み付けられている。主部材２００ａは、その弾性板２４０にて、副部材２００ｂの蓋板２６０に対向するように構成されている。これにより、球戻り防止装置２００は、弾性板２４０と蓋板２６０との間にて、内側レール部の組み付け部Ｒｐにその側縁部側から組み付けられる。【選択図】図６
2011030966.tif 000002
【特許請求の範囲】
【請求項１】
パチンコ遊技機の遊技盤に設けられる球戻り防止装置において、
板状装置本体と、
この装置本体の下縁部から下方に延出する板体と、
前記装置本体にその板厚方向一側から形成される凹所に設けられる球止め手段とを備えて、
前記板体は、
前記装置本体の前記下縁部のうちその横方向一端部から下方に向けて延出する側板と、
前記装置本体の前記下縁部のうち前記横方向一端部を除く部位の板厚方向他側から前記側板とは分離して当該側板に沿い板厚方向に撓み可能に下方に向けて延出する弾性板と、
前記装置本体の前記下縁部のうち前記横方向一端部を除く部位の前記板厚方向一側から前記側板と横断面Ｌ字状をなすように当該側板に沿い前記弾性板に対向して下方に向けて延出する対向板とを具備し、
前記弾性板は、その延出方向中間部位にて、その板厚方向へ縦断面凸な突出形状に形成される中間壁部を設けてなり、
前記対向板は、前記弾性板の前記中間壁部に対する対向部にて、前記中間壁部の突出方向に向けて、当該中間壁部と同様の縦断面形状にて形成されており、
前記弾性板の前記突出壁部及び前記対向板の前記対向部の双方の一方の中央部には、突起が、前記側板とは反対側へ前記装置本体の横方向に沿い低くなるように、前記突出壁部及び前記対向板の前記対向部の双方の他方に向け突出形成されており、
前記球止め手段は、前記装置本体の板厚方向に回動可能に前記凹所内にて支持される軸状回動部材と、この軸状回動部材から前記凹所を介し前記装置本体の前記板厚方向一側の上方に向け延出する球止め片と、前記球止め片と共に前記装置本体の前記板厚方向一側に向け鈍角を張るように前記凹所内にて前記軸状回動部材に連結される重錘とを具備してなることを特徴とするパチンコ遊技機のための球戻り防止装置。
【請求項２】
パチンコ遊技機の遊技盤に設けられる球戻り防止装置において、
主部材と、副部材と、球止め手段とを備えて、
前記主部材は、
基板と、この基板の横方向両側からその板厚方向一側に向け突出する両突出壁と、前記基板の下縁部のうちその横方向一端部から下方に向けて延出する側板と、前記基板の前記下縁部のうち前記横方向一端部を除く部位の板厚方向他側から前記側板とは分離して当該側板に沿い下方に向けて前記基板の板厚方向に撓み可能に延出する弾性板であってその延出方向中間部位にてその板厚方向へ縦断面凸な突出形状に形成される中間壁部を設けてなる弾性板とを具備しており、
前記副部材は、
前記側板と横断面Ｌ字状をなすように前記弾性板に対向して前記側板に組み付けられる蓋板と、この蓋板から前記基板の横方向両側部上に沿い延出されて前記両突出壁に組み付けられる両脚片であってその各対応の前記突出壁との間にて受承部を形成してなる両脚片とを具備しており、
前記蓋板は、前記弾性板の前記中間壁部に対する対向部にて、前記中間壁部の突出方向に向けて、当該中間壁部と同様の縦断面形状にて形成されており、
前記弾性板の前記中間壁部及び前記蓋板の前記対向部の一方の中央部には、突起が、前記側板とは反対側へ前記主部材の横方向に沿い低くなるように、前記中間壁部及び前記蓋板の前記対向部の他方に向け突出形成されており、
前記球止め手段は、
前記両脚片の間にて前記基板上に形成される凹所内にて前記基板の板厚方向に回動可能となるように前記各受承部により支持される軸状回動部材と、この軸状回動部材から前記凹所を介し前記基板の前記板厚方向一側の上方に向け延出する球止め片と、前記球止め片と共に前記基板の前記板厚方向一側に向け鈍角を張るように前記凹所内にて前記軸状回動部材に連結される重錘とを具備してなることを特徴とするパチンコ遊技機のための球戻り防止装置。
【請求項３】
パチンコ遊技機の遊技盤に設けられる球戻り防止装置において、
板状装置本体と、
この装置本体の下縁部から下方に延出する板体と、
前記装置本体にその板厚方向一側から形成される凹所に設けられる球止め手段とを備えて、
前記板体は、
前記装置本体の前記下縁部のうちその横方向一端部から下方に向けて延出する側板と、
前記装置本体の前記下縁部のうち前記横方向一端部を除く部位の前記板厚方向一側及び板厚方向他側からそれぞれ互いに対向して前記側板に沿い下方に向けて延出するように前記側板と一体的に形成される第１及び第２の対向板とを具備しており、
前記第２の対向板は、
前記装置本体の前記下縁部のうち前記横方向一端部を除く部位の前記板厚方向他側から下方に向けて前記第１の対向板との間に第１空隙部を形成するように延出される基端壁部と、
この基端壁部の下方にて前記側板から前記基端壁部に沿い延出する帯状の弾性片本体と、この弾性片本体の延出先端部及び延出方向中間部位から前記装置本体の前記板厚方向一側に向けてそれぞれ突出する第１及び第２の突起とを有する弾性片と、
この弾性片の下方にて前記側板から前記弾性片本体に沿い延出する先端壁部とにより構成されており、
前記装置本体は、その板厚方向中間部位内にて、前記第１空隙部から前記板厚方向一側に向けて縦断面曲がり形状に延出するように第２空隙部を形成してなり、
前記球止め手段は、前記装置本体の板厚方向に回動可能に前記凹所内にて支持される軸状回動部材と、この軸状回動部材から前記凹所を介し前記装置本体の前記板厚方向一側の上方に向け延出する球止め片と、前記球止め片と共に前記装置本体の前記板厚方向一側に向け鈍角を張るように前記凹所内にて前記軸状回動部材に連結される重錘とを具備してなることを特徴とするパチンコ遊技機のための球戻り防止装置。
【請求項４】
前記第２空隙部は、前記第１空隙部から前記板厚方向一側に向けて縦断面Ｌ字形状に延出するように前記装置本体の前記板厚方向中間部位内に形成されていることを特徴とする請求項３に記載のパチンコ遊技機のための球戻り防止装置。
【請求項５】
前記第２空隙部は、前記第１空隙部から前記板厚方向一側に向けて前記装置本体の前記下縁部とは逆方向に向け凸な縦断面湾曲形状に延出するように前記装置本体の前記板厚方向中間部位内に形成されていることを特徴とする請求項３に記載のパチンコ遊技機のための球戻り防止装置。
【請求項６】
パチンコ遊技機の遊技盤に設けられる球戻り防止装置において、
板状装置本体と、
この装置本体の下縁部から下方に延出する板体と、
前記装置本体にその板厚方向一側から形成される凹所に設けられる球止め手段とを備えて、
前記板体は、
前記装置本体の前記下縁部のうちその横方向一端部から下方に向けて延出する側板と、
前記装置本体の前記下縁部のうち前記横方向一端部を除く部位の前記板厚方向一側及び板厚方向他側からそれぞれ互いに対向して前記側板に沿い下方に向けて延出する第１及び第２の対向板とを具備しており、
前記第２の対向板は、
前記装置本体の前記下縁部のうち前記横方向一端部を除く部位の前記板厚方向他側から下方に向けて前記第１の対向板に対し空隙部を介し対向するように延出する基端壁部と、
この基端壁部の下方にて前記側板から前記装置本体の前記下縁部に沿い延出する帯状の弾性片本体と、この弾性片本体の延出先端部及び延出方向中間部位から前記装置本体の前記板厚方向一側に向けてそれぞれ突出する第１及び第２の突起とを有する弾性片と、
前記弾性片本体に沿いその下方にて前記側板から延出する先端壁部とにより構成されており、
前記球止め手段は、前記装置本体の板厚方向に回動可能に前記凹所内にて支持される軸状回動部材と、この軸状回動部材から前記凹所を介し前記装置本体の前記板厚方向一側の上方に向け延出する球止め片と、前記球止め片と共に前記装置本体の前記板厚方向一側に向け鈍角を張るように前記凹所内にて前記軸状回動部材に連結される重錘とを具備しており、
前記側板のうち前記第１及び第２の対向板との間の部位には、複数の突起が、前記側板の延出方向に沿い間隔をおくようにして、前記第１及び第２の対向板との間に向けて突出形成されていることを特徴とするパチンコ遊技機のための球戻り防止装置。
【請求項７】
前記弾性片の前記第１突起の突出端面とこの突出端面に対する前記第１対向板の対応面部の双方の少なくとも一方は、前記弾性片本体の延出先端部側にて、当該弾性片本体の延出方向に沿い断面傾斜状に形成されており、
また、前記弾性片の前記第２突起は、前記弾性片本体から前記第１対向板に向けて前記第１突起よりも低く突出するように形成されていることを特徴とする請求項３〜６のいずれか１つに記載のパチンコ遊技機のための球戻り防止装置。
【請求項８】
遊技板と、
この遊技板の前面の左上側部位に位置する組み付け部を有しこの組み付け部から前記遊技板の前記前面に沿い下に凸な円弧形状にて組み付けられる内側レール部と、この内側レール部の外側にて前記遊技板の前記前面に沿いその左下側から上に凸な円弧形状にて組み付けられる外側レール部とを有する案内レールと、
当該案内レールによりその内側に特定される遊技領域内にて、前記遊技板の前記前面に、前記内側レール部の前記左上側部位に位置する組み付け部の少なくとも上方近傍を含め分散して打ち込まれる多数の遊技釘と、
前記内側レール部の前記組み付け部に組み付けられる球戻り防止装置と、
前記遊技板の中央開口部の外周に沿いにその前面側から組み付けられる環状センター構造物その他の前記遊技板にその前面側から組み付けられる盤面前部品と、
前記遊技板の前記中央開口部にその裏面側から組み付けられる画像表示器及び前記遊技板にその裏面側から組み付けられる盤面裏部品とを備えるパチンコ遊技機のための遊技盤において、
前記内側レール部の前記組み付け部は、その長手方向中間部位にて、その板厚方向に向け縦断面凸な突出形状に突出する突出壁部であってその中央部に貫通孔部を形成してなる突出壁部として形成されており、
前記球戻り防止装置は、板状装置本体と、この装置本体の下縁部から下方に延出する板体と、前記装置本体にその板厚方向一側から形成される凹所に設けられる球止め手段とを備えて、
前記板体は、前記装置本体の前記下縁部のうちその横方向一端部から下方に向けて延出する側板と、前記装置本体の前記下縁部のうち前記横方向一端部を除く部位の板厚方向他側から前記側板とは分離して当該側板に沿い板厚方向に撓み可能に下方に向けて延出する弾性板と、前記装置本体の前記下縁部のうち前記横方向一端部を除く部位の前記板厚方向一側から前記側板と横断面Ｌ字状をなすように当該側板に沿い前記弾性板に対向して下方に向けて延出する対向板とを具備し、
前記弾性板は、その延出方向中間部位にて、前記組み付け部の前記突出壁部の突出側へ当該突出壁部と同様の縦断面凸な突出形状にて突出する中間壁部を設けてなり、
前記対向板は、前記弾性板の前記中間壁部に対する対向部にて、前記中間壁部の突出方向と同一側に向け、当該中間壁部と同様の縦断面形状にて形成されており、
前記弾性板の前記突出壁部及び前記対向板の前記対向部の双方の一方の中央部には、突起が、前記突出壁部及び前記対向板の前記対向部の双方の他方に向け突出形成されており、
前記球止め手段は、前記装置本体の板厚方向に回動可能に前記凹所内にて支持される軸状回動部材と、この軸状回動部材から前記凹所を介し前記装置本体の前記板厚方向一側の上方に向け延出する球止め片と、前記球止め片と共に前記装置本体の前記板厚方向一側に向け鈍角を張るように前記凹所内にて前記軸状回動部材に連結される重錘とを具備しており、
前記球戻り防止装置は、前記突起にて前記組み付け部の前記突出壁部の前記貫通孔部に係合するとともに前記突出壁部にて前記弾性板の前記中間壁部と前記対向板との間に挿入されるように、前記組み付け部を前記弾性板と前記対向板との間に挟持してなることを特徴とするパチンコ遊技機のための遊技盤。
【請求項９】
遊技板と、
この遊技板の前面の左上側部位に位置する組み付け部を有しこの組み付け部から前記遊技板の前記前面に沿い下に凸な円弧形状にて組み付けられる内側レール部と、この内側レール部の外側にて前記遊技板の前記前面に沿いその左下側から上に凸な円弧形状にて組み付けられる外側レール部とを有する案内レールと、
前記案内レールによりその内側に特定される遊技領域内にて、前記遊技板の前記前面に、前記内側レール部の前記組み付け部の少なくとも上方近傍を含め分散して打ち込まれる多数の遊技釘と、
前記内側レール部の前記組み付け部に組み付けられる球戻り防止装置と、
前記遊技板の中央開口部の外周に沿いにその前面側から組み付けられる環状センター構造物その他の前記遊技板にその前面側から組み付けられる盤面前部品と、
前記遊技板の前記中央開口部にその裏面側から組み付けられる画像表示器及び前記遊技板にその裏面側から組み付けられる盤面裏部品とを備えるパチンコ遊技機のための遊技盤において、
前記内側レール部の前記組み付け部は、前記内側レール部のうち前記組み付け部との境界から上方へ延出する境界側壁部であってその長手方向中間部位の幅方向中央部に形成した貫通孔部及び前記長手方向中間部位の両側縁部のうち前記遊技板の前記前面側に位置する一側縁部に前記貫通孔部に向けて形成した切り欠き部を有する境界側壁部と、この境界側壁部の延出端部から前記遊技板の前記前面に沿い前記外側レール部とは反対側へ縦断面曲がり形状に延出する先端側壁部とを有しており、
前記球戻り防止装置は、板状装置本体と、この装置本体の下縁部から下方に延出する板体と、前記装置本体にその板厚方向一側から形成される凹所に設けられる球止め手段とを備えて、
前記板体は、前記装置本体の前記下縁部のうちその横方向一端部から下方に向けて延出する側板と、前記装置本体の前記下縁部のうち前記横方向一端部を除く部位の前記板厚方向一側及び板厚方向他側からそれぞれ互いに対向して前記側板に沿い下方に向けて延出する第１及び第２の対向板とを具備しており、
前記第２の対向板は、前記装置本体の前記下縁部のうち前記横方向一端部を除く部位の前記板厚方向他側から下方に向けて前記第１の対向板に対し第１空隙部を介して対向するように延出する基端壁部と、この基端壁部の下方にて前記側板から前記基端壁部に沿い延出する帯状の弾性片本体と、この弾性片本体の延出先端部及び延出方向中間部位から前記装置本体の前記板厚方向一側に向けてそれぞれ突出する第１及び第２の突起とを有する弾性片と、この弾性片の下方にて前記側板から前記弾性片本体に沿い延出する先端壁部とにより構成されており、
前記装置本体は、その板厚方向中間部位内にて、前記第１空隙部から前記板厚方向一側に向けて縦断面曲がり形状に延出するように第２空隙部を形成してなり、
前記球止め手段は、前記装置本体の板厚方向に回動可能に前記凹所内にて支持される軸状回動部材と、この軸状回動部材から前記凹所を介し前記装置本体の前記板厚方向一側の上方に向け延出する球止め片と、前記球止め片と共に前記装置本体の前記板厚方向一側に向け鈍角を張るように前記凹所内にて前記軸状回動部材に連結される重錘とを具備してなり、
前記球戻り防止装置は、前記弾性片の前記第２及び第１の突出部にて前記内側レール部の前記組み付け部の前記貫通孔部及び前記切り欠き部に係合し、前記組み付け部の前記境界側壁部を前記側板と前記第１突出部との間に係止するように、前記組み付け部の前記先端側壁部を前記第２空隙部に挿入しつつ、前記境界側壁部を前記弾性片本体の弾性のもとに前記第１及び第２の対向板の間に挟持してなることを特徴とするパチンコ遊技機のための遊技盤。
【請求項１０】
遊技板と、
この遊技板の前面の左上側部位に位置する組み付け部を有しこの組み付け部から前記遊技板の前記前面に沿い下に凸な円弧形状にて組み付けられる内側レール部と、この内側レール部の外側にて前記遊技板の前記前面に沿いその左下側から上に凸な円弧形状にて組み付けられる外側レール部とを有する案内レールと、
前記案内レールによりその内側に特定される遊技領域内にて、前記遊技板の前記前面に、前記内側レール部の前記左上側部位に位置する組み付け部の少なくとも上方近傍を含め分散して打ち込まれる多数の遊技釘と、
前記内側レール部の前記組み付け部に組み付けられる球戻り防止装置と、
前記遊技板の中央開口部の外周に沿いにその前面側から組み付けられる環状センター構造物その他の前記遊技板にその前面側から組み付けられる盤面前部品と、
前記遊技板の前記中央開口部にその裏面側から組み付けられる画像表示器及び前記遊技板にその裏面側から組み付けられる盤面裏部品とを備えるパチンコ遊技機のための遊技盤において、
前記内側レール部の前記組み付け部は、その長手方向中間部位の幅方向中央部に形成した貫通孔部と、前記長手方向中間部位の両側縁部のうち前記遊技板の前記前面側に位置する一側縁部に前記貫通孔部に向けて形成した一側切り欠き部と、前記長手方向中間部位の他側縁部に互いに間隔をおいて形成した複数の他側切り欠き部とを具備してなり、
前記球戻り防止装置は、板状装置本体と、この装置本体の下縁部から下方に延出する板体と、前記装置本体にその板厚方向一側から形成される凹所に設けられる球止め手段とを備えて、
前記板体は、前記装置本体の前記下縁部のうちその横方向一端部から下方に向けて延出する側板と、前記装置本体の前記下縁部のうち前記横方向一端部を除く部位の前記板厚方向一側及び板厚方向他側からそれぞれ互いに対向して前記側板に沿い下方に向けて延出する第１及び第２の対向板とを具備しており、
前記第２の対向板は、前記装置本体の前記下縁部のうち前記横方向一端部を除く部位の前記板厚方向他側から下方に向けて前記第１の対向板に対し空隙部を介して対向するように延出する基端壁部と、この基端壁部に沿いその下方にて前記側板から延出する帯状の弾性片本体と、この弾性片本体の延出先端部及び延出方向中間部位から前記装置本体の前記板厚方向一側に向けてそれぞれ突出する第１及び第２の突起とを有する弾性片と、前記弾性片本体に沿いその下方にて前記側板から延出する先端壁部とにより構成されており、
前記球止め手段は、前記装置本体の板厚方向に回動可能に前記凹所内にて支持される軸状回動部材と、この軸状回動部材から前記凹所を介し前記装置本体の前記板厚方向一側の上方に向け延出する球止め片と、前記球止め片と共に前記装置本体の前記板厚方向一側に向け鈍角を張るように前記凹所内にて前記軸状回動部材に連結される重錘とを具備しており、
前記側板のうち前記第１及び第２の対向板との間の部位には、複数の突起が、前記側板の延出方向に沿い前記複数の他側切り欠き部の前記間隔に対応する間隔をおくようにして、前記第１及び第２の対向板との間に向けて突出形成されており、
前記球戻り防止装置は、前記側板の前記複数の突起にて前記内側レール部の前記組み付け部の前記複数の他側切り欠き部に係合し、前記弾性片の前記第２及び第１の突出部にて前記組み付け部の前記貫通孔部及び前記一側切り欠き部に係合するように、前記組み付け部を前記弾性片本体の弾性のもとに記第１及び第２の対向板の間に挟持することを特徴とするパチンコ遊技機のための遊技盤。
【発明の詳細な説明】
【技術分野】
【０００１】
本発明は、パチンコ遊技機に採用するに適した球戻り防止装置及び遊技盤に関する。
【背景技術】
【０００２】
従来、パチンコ遊技機に適用される球戻り防止装置にとしては、下記特許文献１に記載の球戻り防止装置が提案されている。この球戻り防止装置は、パチンコ遊技機の遊技盤の盤面の外周部に沿い設けた外レール及び内レールのうち内レールの先端部に組み付けられて、外レール及び内レールの間から遊技盤の遊技領域内に転動した遊技球を再び外レール及び内レールの間へは戻さないように構成されている。
【０００３】
しかして、球戻り防止装置を内レールの先端部に組み付けるにあたっては、当該球戻り防止装置を、内レールの先端部の上方にて把持する。このとき、球戻り防止装置において、枠状部材と蓋板状部材との間に形成されるスリット状の隙間が、遊技盤の盤面に沿い内レールの先端部にその上方から対向するとともに、傾動部材及び枠状部材が外レールの内面に対向するように、当該球戻り防止装置を把持する。
【０００４】
このような状態において、球戻り防止装置を遊技盤の盤面に沿い内レールの先端部に向けて上方から移動させることで、球戻り防止装置のスリット状の隙間内に内レールの先端部を挿入させる。これにより、当該球戻り防止装置の内レールに対する組み付けが終了する。
【先行技術文献】
【特許文献】
【０００５】
【特許文献１】特許第４１６２６５０号公報
【発明の概要】
【発明が解決しようとする課題】
【０００６】
ところで、近年、パチンコ遊技機の集客力向上等の観点から、遊技盤に設けられる画像演出表示装置、例えば、液晶表示装置の液晶パネルが大型化の傾向にある。また、同様の観点から、遊技盤の盤面の上部に設けられる盤面前部品が増加する傾向にある。
【０００７】
このため、遊技盤の盤面に打ち込まれる多数の遊技釘のうち、遊技盤の上部に位置する複数の遊技釘が、液晶パネルの大型化や盤面前部品の増加に伴い、内レールの先端部側に押しやられてしまい、当該内レールの先端部に近接して位置する傾向にある。このことは、球戻り防止装置の組み付けスペースの減少を招くことを意味する。
【０００８】
その結果、上述のように、球戻り防止装置を案内レールの先端部にその上方から組み付けようとしても、内レールの先端部の上方近傍その他の近傍に位置する遊技釘が邪魔となって、上述した球戻り防止装置の組み付け作業を円滑に行うことができないという不具合を招く。
【０００９】
そこで、本発明は、以上のようなことに対処するため、遊技盤の盤面に設けられる案内レールに対する組み付け構成に工夫を凝らし、当該案内レールに対し円滑に組み付け得るようにしたパチンコ遊技機のための球戻り防止装置及び遊技盤を提供することを目的とする。
【課題を解決するための手段】
【００１０】
上記課題の解決にあたり、本発明に係るパチンコ遊技機のための球戻り防止装置球戻り防止装置は、請求項１の記載によれば、パチンコ遊技機の遊技盤（Ｂａ）に設けられるものである。当該球戻り防止装置において、板状装置本体（２１０、２５０、２７０）と、この装置本体の下縁部から下方に延出する板体（２３０、２６０、２２０、２４０）と、装置本体にその板厚方向一側から形成される凹所（Ｆ）に設けられる球止め手段（２００ｃ）とを備える。
【００１１】
板体は、装置本体の上記下縁部のうちその横方向一端部から下方に向けて延出する側板（２２０）と、装置本体の上記下縁部のうち上記横方向一端部を除く部位の板厚方向他側から側板とは分離して当該側板に沿い板厚方向に撓み可能に下方に向けて延出する弾性板（２４０）と、装置本体の上記下縁部のうち上記横方向一端部を除く部位の上記板厚方向一側から側板と横断面Ｌ字状をなすように当該側板に沿い弾性板に対向して下方に向けて延出する対向板（２６０）とを具備し、
弾性板は、その延出方向中間部位にて、その板厚方向へ縦断面凸な突出形状に形成される中間壁部（２４２）を設けてなり、対向板は、弾性板の上記中間壁部に対する対向部（２６２）にて、上記中間壁部の突出方向に向けて、当該中間壁部と同様の縦断面形状にて形成されており、
弾性板の上記突出壁部及び対向板の上記対向部の双方の一方の中央部には、突起（２６６）が、側板とは反対側へ装置本体の横方向に沿い低くなるように、上記突出壁部及び対向板の上記対向部の双方の他方に向け突出形成されており、
球止め手段は、装置本体の板厚方向に回動可能に上記凹所内にて支持される軸状回動部材（２８０ａ、２８０ｄ）と、この軸状回動部材から上記凹所を介し装置本体の上記板厚方向一側の上方に向け延出する球止め片（２８０ｂ）と、球止め片と共に装置本体の上記板厚方向一側に向け鈍角を張るように上記凹所内にて軸状回動部材に連結される重錘（２８０ｃ）とを具備してなることを特徴とする。
【００１２】
これにより、当該パチンコ遊技機の遊技盤の盤面に組み付けられた内側レール部とこの内側レール部の外側に位置する外側レール部とからなる案内レールにおいて、遊技球を当該盤面の遊技領域内に案内する内側レール部のうち遊技盤の盤面の左上側部位に位置する組み付け部が、その長手方向中間部位にて、その板厚方向に向け縦断面凸な突出形状に突出する突出壁部であってその中央部に貫通孔部を形成してなる突出壁部として形成されていることを前提とすれば、当該球戻り防止装置の内側レール部の組み付け部に対する組み付けは、次のようにして行う。
【００１３】
まず、球止め片が外側レール部側に位置し、かつ、装置本体がその板厚方向両面にて内側レール部の組み付け部の両面に沿い位置するように、当該球戻り防止装置を、弾性板及び対向板にて、組み付け部の遊技盤の盤面とは反対側の側縁部に対向させる。このような状態にて、当該球戻り防止装置をそのまま内側レール部の組み付け部に向けて移動させることで、内側レール部の組み付け部が、その上記反対側の側縁部から弾性板と対向板との間に挿入される。このとき、組み付け部の突出壁部は、弾性板の中間壁部と対向板の対向部との間に挿入される。
【００１４】
これに伴い、組み付け部が、その突出壁部にて、弾性板の弾力のもと、突起を越えて、さらに弾性板と対向板との間に挿入される。ここで、突起は、上述のごとく、側板とは反対側へ装置本体の横方向に沿い低くなるように、形成されているから、当該突起の突出高さが、側板とは反対側にて低い程、組み付け部が、その突出壁部にて、弾性板の弾力のもと、円滑に突起を越えて、弾性板と対向板との間に挿入され得る。このため、突起を組み付け部の貫通孔部内に容易に係合させることができる。
【００１５】
これにより、このような係合のもと、内側レール部が、その組み付け部にて、弾性板の弾性力により、当該弾性板と対向板との間にしっかりと挟持され得る。ここで、組み付け部の突出壁部は、弾性板の中間壁部及び対向板の対向部と共に、凸な縦断面形状に形成されている。従って、組み付け部の突出壁部は、弾性板の中間壁部と対向板の対向部との間に相互に位置ずれすることなく、挟持され得る。
【００１６】
上述のように、当該球戻り防止装置は、遊技盤の盤面に沿い内側レール部の組み付け部にその上方から組み付けられるのではなく、遊技盤の盤面に向けその前方から内側レール部の組み付け部の面に沿う方向に組み付けられる。従って、多数の遊技釘のうちの何本かの遊技釘が、内側レール部の組み付け部の上方近傍その他の近傍に近接して位置するように遊技盤の盤面に打ち込まれていても、当該各遊技釘が、内側レール部の組み付け部に対する球戻り防止装置の組み付け作業の邪魔になることがなく、この球戻り防止装置を内側レール部の組み付け部に対し円滑に組み付けることができる。
【００１７】
また、上述のごとく、当該球戻り防止装置は、上記突起にて、内側レール部の組み付け部の貫通孔部と係合するので、当該球戻り防止装置は、内側レール部の組み付け部から離脱することなく、しっかりと、当該組み付け部により保持され得る。ここで、上述のごとく、内側レール部は、その組み付け部の屈曲壁部にて、弾性板の弾性力及び上記突起の上記貫通孔部との係合のもと、当該弾性板と対向板との間に挟持されるので、当該球戻り防止装置は、内側レール部の組み付け部の面に沿い遊技盤の盤面の前方側へ傾動することなく、しっかりと、当該組み付け部により保持され得る。
【００１８】
また、本発明に係るパチンコ遊技機のための球戻り防止装置は、請求項２の記載によれば、パチンコ遊技機の遊技盤（Ｂａ）に設けられるものである。当該球戻り防止装置において、主部材（２００ａ）と、副部材（２００ｂ）と、球止め手段（２００ｃ）とを備える。
【００１９】
主部材は、基板（２１０）と、この基板の横方向両側からその板厚方向一側に向け突出する両突出壁（２５０）と、基板の下縁部のうちその横方向一端部から下方に向けて延出する側板（２２０）と、基板の上記下縁部のうち上記横方向一端部を除く部位の板厚方向他側から側板とは分離して当該側板に沿い下方に向けて基板の板厚方向に撓み可能に延出する弾性板であってその延出方向中間部位にてその板厚方向へ縦断面凸な突出形状に形成される中間壁部（２４２）を設けてなる弾性板（２４０）とを具備しており、
副部材は、側板と横断面Ｌ字状をなすように弾性板に対向して側板に組み付けられる蓋板（２６０）と、この蓋板から基板の横方向両側部上に沿い延出されて両突出壁に組み付けられる両脚片であってその各対応の突出壁との間にて受承部（２５３）を形成してなる両脚片（２７０）とを具備しており、
蓋板は、弾性板の上記中間壁部に対する対向部（２６２）にて、上記中間壁部の突出方向に向けて、当該中間壁部と同様の縦断面形状にて形成されており、
弾性板の上記中間壁部及び蓋板の上記対向部の一方の中央部には、突起（２６６）が、側板とは反対側へ主部材の横方向に沿い低くなるように、上記中間壁部及び蓋板の上記対向部の他方に向け突出形成されており、
球止め手段は、両脚片の間にて基板上に形成される凹所（Ｆ）内にて基板の板厚方向に回動可能となるように上記各受承部により支持される軸状回動部材（２８０ａ、２８０ｄ）と、この軸状回動部材から上記凹所を介し基板の上記板厚方向一側の上方に向け延出する球止め片（２８０ｂ）と、球止め片と共に基板の上記板厚方向一側に向け鈍角を張るように上記凹所内にて軸状回動部材に連結される重錘（２８０ｃ）とを具備してなることを特徴とする。以上のような構成によれば、請求項１の記載の発明の作用効果がより一層具体的に達成され得る。
【００２０】
また、本発明に係るパチンコ遊技機のための球戻り防止装置は、請求項３の記載によれば、パチンコ遊技機の遊技盤（Ｂａ）に設けられる。当該球戻り防止装置において、板状装置本体（２１０Ａ、２５０、２７０）と、この装置本体の下縁部から下方に延出する板体（２３０、２６０Ａ、２４４、２４０ａ、２４５）と、装置本体にその板厚方向一側から形成される凹所（Ｆ）に設けられる球止め手段（２００ｃ）とを備える。
【００２１】
板体は、装置本体の上記下縁部のうちその横方向一端部から下方に向けて延出する側板（２２０）と、装置本体の上記下縁部のうち上記横方向一端部を除く部位の上記板厚方向一側及び板厚方向他側からそれぞれ互いに対向して側板に沿い下方に向けて延出する第１及び第２の対向板（２３０、２６０Ａ、２４４、２４０ａ、２４５）とを具備しており、
第２の対向板は、装置本体の上記下縁部のうち上記横方向一端部を除く部位の上記板厚方向他側から下方に向けて第１の対向板に対し第１空隙部（Ｇａ）を介して対向するように延出する基端壁部（２４４）と、この基端壁部の下方にて側板から上記基端壁部に沿い延出する帯状の弾性片本体（２４６）と、この弾性片本体の延出先端部及び延出方向中間部位から装置本体の上記板厚方向一側に向けてそれぞれ突出する第１及び第２の突起（２４７、２４８）とを有する弾性片（２４０ａ）と、この弾性片の下方にて側板から弾性片本体に沿い延出する先端壁部（２４５）とにより構成されており、
装置本体は、その板厚方向中間部位内にて、上記第１空隙部から上記板厚方向一側に向けて縦断面曲がり形状に延出するように第２空隙部（Ｇｂ、Ｇｃ）を形成してなり、
球止め手段は、装置本体の板厚方向に回動可能に上記凹所内にて支持される軸状回動部材（２８０ａ、２８０ｄ）と、この軸状回動部材から上記凹所を介し装置本体の上記板厚方向一側の上方に向け延出する球止め片（２８０ｂ）と、球止め片と共に装置本体の上記板厚方向一側に向け鈍角を張るように上記凹所内にて軸状回動部材に連結される重錘（２８０ｃ）とを具備してなることを特徴とする。
【００２２】
これにより、当該パチンコ遊技機の遊技盤の盤面に組み付けられた内側レール部とこの内側レール部の外側に位置する外側レール部とからなる案内レールにおいて、遊技球を当該盤面の遊技領域内に案内する内側レール部のうち遊技盤の盤面の左上側部位に位置する組み付け部が、内側レール部のうち組み付け部との境界から上方へ延出する境界側壁部であってその長手方向中間部位の幅方向中央部に形成した貫通孔部及び上記長手方向中間部位の両側縁部のうち遊技盤の盤面側に位置する一側縁部に上記貫通孔部に向けて形成した切り欠き部を有する境界側壁部と、この境界側壁部の延出端部から遊技盤の盤面に沿い外側レール部とは反対側へ上記第２空隙部と同様の縦断面曲がり形状に延出する先端側壁部とを有することを前提とすれば、当該球戻り防止装置の内側レール部の組み付け部に対する組み付けは、次のようにして行う。
【００２３】
まず、球止め片が外側レール部側に位置し、かつ、装置本体がその板厚方向両面にて内側レール部の組み付け部の両面に沿い位置するように、当該球戻り防止装置を、第１及び第２の対向板にて、組み付け部の両側縁部のうち遊技盤の盤面とは反対側の側縁部に対向させる。
【００２４】
このような状態にて、当該球戻り防止装置をそのまま内側レール部の組み付け部に向けて移動させることで、内側レール部が、その組み付け部にて、その上記反対側の側縁部から第１及び第２の対向板との間に挿入される。このとき、組み付け部の境界側壁部が、第１の対向板と基端壁部との間、即ち上記第１空隙部内並びに第１の対向板と弾性片及び先端壁部との間に挿入されるとともに組み付け部の先端側壁部が上記第２空隙部内に挿入される。ここで、組み付け部の境界側壁部が、弾性片本体の弾性に抗して、第１突起及び第２突起を越えて挿入され、当該第２突起にて、境界側壁部の貫通孔部に係合するとともに、側板と第１突起との間に係止される。
【００２５】
これにより、内側レール部が、その組み付け部にて、弾性片本体の弾性力により、当該第１と第２の対向板との間にしっかりと挟持され得る。こで、組み付け部の先端側壁部は、第１の対向板の上記第２空隙部と同様の縦断面曲がり形状に形成されている。従って、組み付け部は、第１及び第２の対向板の間にて相互に位置ずれすることなく、挟持され得る。
【００２６】
上述のように、当該球戻り防止装置は、遊技盤の盤面に沿い内側レール部の組み付け部にその上方から組み付けられるのではなく、遊技盤の盤面に向けその前方から内側レール部の組み付け部の面に沿う方向に組み付けられる。従って、請求項１に記載の発明と同様の作用効果を達成することができる。
【００２７】
また、本発明は、請求項４の記載によれば、請求項３に記載のパチンコ遊技機のための球戻り防止装置において、上記第２空隙部は、上記第１空隙部から上記板厚方向一側に向けて縦断面Ｌ字形状に延出するように装置本体の上記板厚方向中間部位内に形成されていることを特徴とする。また、本発明は、請求項５の記載によれば、請求項３に記載のパチンコ遊技機のため球戻り防止装置において、上記第２空隙部は、上記第１空隙部から上記板厚方向一側に向けて装置本体の上記下縁部とは逆方向に向け凸な縦断面湾曲形状に延出するように装置本体の上記板厚方向中間部位内に形成されていることを特徴とする。このように構成した請求項４或いは５に記載の発明よれば、請求項３に記載の発明の作用効果がより一層具体的に達成され得る。
【００２８】
また、本発明に係るパチンコ遊技機のための球戻り防止装置は、請求項６の記載によれば、パチンコ遊技機の遊技盤（Ｂａ）に設けられる。当該球戻り防止装置において、板状装置本体（２１０Ａ、２５０、２７０）と、この装置本体の下縁部から下方に延出する板体（２３０、２６０Ａ、２４４、２４０ａ、２４５）と、装置本体にその板厚方向一側から形成される凹所（Ｆ）に設けられる球止め手段（２００ｃ）とを備える。
【００２９】
板体は、装置本体の上記下縁部のうちその横方向一端部から下方に向けて延出する側板（２２０）と、装置本体の上記下縁部のうち上記横方向一端部を除く部位の上記板厚方向一側及び板厚方向他側からそれぞれ互いに対向して側板に沿い下方に向けて延出する第１及び第２の対向板（２３０、２６０Ａ、２４４、２４０ａ、２４５）とを具備しており、
第２の対向板は、装置本体の上記下縁部のうち上記横方向一端部を除く部位の上記板厚方向他側から下方に向けて第１の対向板に対し空隙部（Ｇａ）を介して対向するように延出する基端壁部（２４４）と、この基端壁部の下方にて側板から装置本体の上記下縁部に沿い延出する帯状の弾性片本体（２４６）と、この弾性片本体の延出先端部及び延出方向中間部位から装置本体の上記板厚方向一側に向けてそれぞれ突出する第１及び第２の突起（２４７、２４８）とを有する弾性片（２４０ａ）と、弾性片本体に沿いその下方にて側板から延出する先端壁部（２４５）とにより構成されており、
球止め手段は、装置本体の板厚方向に回動可能に上記凹所内にて支持される軸状回動部材（２８０ａ、２８０ｄ）と、この軸状回動部材から上記凹所を介し装置本体の上記板厚方向一側の上方に向け延出する球止め片（２８０ｂ）と、球止め片と共に装置本体の上記板厚方向一側に向け鈍角を張るように上記凹所内にて軸状回動部材に連結される重錘（２８０ｃ）とを具備しており、
側板のうち第１及び第２の対向板との間の部位には、複数の突起（２２１ａ、２２１ｂ）が、側板の延出方向に沿い間隔をおくようにして、第１及び第２の対向板との間に向けて突出形成されていることを特徴とする。
【００３０】
これにより、当該パチンコ遊技機の遊技盤の盤面に組み付けられた内側レール部とこの内側レール部の外側に位置する外側レール部とからなる案内レールにおいて、遊技球を当該盤面の遊技領域内に案内する内側レール部のうち遊技盤の盤面の左上側部位に位置する組み付け部が、その長手方向中間部位の幅方向中央部に形成した貫通孔部と、上記長手方向中間部位の両側縁部のうち遊技盤の盤面側に位置する一側縁部に上記貫通孔部に向けて形成した一側切り欠き部と、上記長手方向中間部位の他側縁部に互いに間隔をおいて形成した複数の他側切り欠き部とを有することを前提とすれば、当該球戻り防止装置の内側レール部の組み付け部に対する組み付けは、次のようにして行う。
【００３１】
まず、球止め片が外側レール部側に位置し、かつ、装置本体がその板厚方向両面にて内側レール部の組み付け部の両面に沿い位置するように、当該球戻り防止装置を、第１及び第２の対向板にて、組み付け部の両側縁部のうち遊技盤の盤面とは反対側の側縁部（他側切り欠き部を形成した側縁部）に対向させる。このような状態にて、当該球戻り防止装置をそのまま内側レール部の組み付け部に向けて移動させることで、内側レール部が、その組み付け部にて、その上記反対側の側縁部から第１及び第２の対向板との間に挿入される。このとき、組み付け部が、第１の対向板と基端壁部との間、即ち上記空隙部内並びに第１の対向板と弾性片及び先端壁部との間に挿入される。
【００３２】
ここで、組み付け部が、弾性片本体の弾性に抗して、第１突起及び第２突起を越えて挿入され、弾性片が、第１及び第２の突起にて組み付け部の一側切り欠き部及び貫通孔部内に係合し、かつ、側板が、その各突起にて、組み付け部の各他側切り欠き部内に係合する。これに伴い、組み付け部が、側板と弾性片の第１突起との間に係止される。
【００３３】
これにより、内側レール部が、その組み付け部にて、弾性片本体の弾性力により、当該第１と第２の対向板との間にしっかりと挟持され得る。従って、内側レール部は、その組み付け部にて、第１及び第２の対向板の間にて相互に位置ずれすることなく、しっかりと挟持され得る。
【００３４】
上述のように、当該球戻り防止装置は、遊技盤の盤面に沿い内側レール部の組み付け部にその上方から組み付けられるのではなく、遊技盤の盤面に向けその前方から内側レール部の組み付け部の面に沿う方向に組み付けられる。従って、請求項１に記載の発明と同様の作用効果を達成することができる。
【００３５】
また、本発明は、請求項７の記載によれば、請求項３〜６のいずれか１つに記載のパチンコ遊技機のための球戻り防止装置において、弾性片の第１突起の突出端面とこの突出端面に対する第１対向板の対応面部の双方の少なくとも一方は、弾性片本体の延出先端部側にて、当該弾性片本体の延出方向に沿い断面傾斜状に形成されており、また、弾性片の第２突起は、弾性片本体から第１対向板に向けて第１突起よりも低く突出するように形成されていることを特徴とする。
【００３６】
このように、弾性片の第１突起の突出端面とこの突出端面に対する第１対向板の対応面部の双方の少なくとも一方は、弾性片本体の延出先端部側にて、当該弾性片本体の延出方向に沿い断面傾斜状に形成されているから、内側レール部の組み付け部を上述のように第１及び第２の対向板の間に弾性片本体の弾性に抗して挿入するにあたり、この挿入が円滑に行われ得る。また、上述のように、弾性片の第２突起は、弾性片本体から第１対向板に向けて第１突起よりも低く突出するように形成されているから、内側レール部の組み付け部を上述のように第２突起を越えて挿入するにあたり、組み付け部が第２突起にひっかかることなく、円滑に挿入され得る。その結果、請求項３〜６のいずれか１つに記載の発明の作用効果がより一層良好に達成され得る。
【００３７】
また、本発明に係るパチンコ遊技機のための遊技盤は、請求項８の記載によれば、
遊技板（１０）と、
この遊技板の前面（１１）の左上側部位に位置する組み付け部（Ｒｐ）を有しこの組み付け部から遊技板の上記前面に沿い下に凸な円弧形状にて組み付けられる内側レール部（２０ａ）と、この内側レール部の外側にて遊技板の上記前面に沿いその左下側から上に凸な円弧形状にて組み付けられる外側レール部（２０ｂ）とを有する案内レール（２０）と、
当該案内レールによりその内側に特定される遊技領域（１２）内にて、遊技板の上記前面に、内側レール部の上記左上側部位に位置する組み付け部（Ｒｐ）の少なくとも上方近傍を含め分散して打ち込まれる多数の遊技釘（４１、４２）と、
内側レール部の組み付け部に組み付けられる球戻り防止装置と、
遊技板の中央開口部の外周に沿いにその前面側から組み付けられる環状センター構造物（３０）その他の遊技板にその前面側から組み付けられる盤面前部品（６０ａ、６０ｂ、７０、８０、９０、１００、１１０、１２０、１７０）と、
遊技板の上記中央開口部にその裏面側から組み付けられる画像表示器（５０）及び遊技板にその裏面側から組み付けられる盤面裏部品とを備える。
【００３８】
当該遊技盤において、内側レール部の組み付け部は、その長手方向中間部位にて、その板厚方向に向け縦断面凸な突出形状に突出する突出壁部であってその中央部に貫通孔部（２４ｄ）を形成してなる突出壁部（２４）として形成されており、
球戻り防止装置は、板状装置本体（２１０、２５０、２７０）と、この装置本体の下縁部から下方に延出する板体（２３０、２６０、２２０、２４０）と、装置本体にその板厚方向一側から形成される凹所（Ｆ）に設けられる球止め手段（２００ｃ）とを備えて、
板体は、装置本体の上記下縁部のうちその横方向一端部から下方に向けて延出する側板（２２０）と、装置本体の上記下縁部のうち上記横方向一端部を除く部位の板厚方向他側から側板とは分離して当該側板に沿い板厚方向に撓み可能に下方に向けて延出する弾性板（２４０）と、装置本体の上記下縁部のうち上記横方向一端部を除く部位の上記板厚方向一側から側板と横断面Ｌ字状をなすように当該側板に沿い弾性板に対向して下方に向けて延出する対向板（２６０）とを具備し、
弾性板は、その延出方向中間部位にて、上記組み付け部の上記突出壁部の突出側へ当該突出壁部と同様の縦断面凸な突出形状にて突出する中間壁部（２４２）を設けてなり、
対向板は、弾性板の上記中間壁部に対する対向部（２６２）にて、上記中間壁部の突出方向と同一側に向け、当該中間壁部と同様の縦断面形状にて形成されており、
弾性板の上記突出壁部及び対向板の上記対向部の双方の一方の中央部には、突起（２６６）が、上記突出壁部及び対向板の上記対向部の双方の他方に向け突出形成されており、
球止め手段は、装置本体の板厚方向に回動可能に上記凹所内にて支持される軸状回動部材（２８０ａ、２８０ｄ）と、この軸状回動部材から上記凹所を介し装置本体の上記板厚方向一側の上方に向け延出する球止め片（２８０ｂ）と、球止め片と共に装置本体の上記板厚方向一側に向け鈍角を張るように上記凹所内にて軸状回動部材に連結される重錘（２８０ｃ）とを具備しており、
球戻り防止装置は、上記突起にて上記組み付け部の上記突出壁部の上記貫通孔部に係合するとともに上記突出壁部にて弾性板の上記中間壁部と対向板との間に挿入されるように、上記組み付け部を弾性板と対向板との間に挟持してなることを特徴とする。以上により、請求項１に記載の発明の作用効果を達成することができる遊技盤の提供が可能となる。
【００３９】
また、本発明に係るパチンコ遊技機のための遊技盤は、請求項９の記載によれば、
請求項８に記載の遊技板（１０）と、請求項８に記載の組み付け部（Ｒｐ）に代わる組み付け部（Ｒｐａ）を有する案内レール（２０）と、請求項８に記載の多数の遊技釘（４１、４２）、球戻り防止装置、盤面前部品（３０、６０ａ、６０ｂ、７０、８０、９０、１００、１１０、１２０、１７０）及び盤面裏部品を備える。
【００４０】
当該遊技盤において、内側レール部の上記組み付け部は、内側レール部のうち上記組み付け部との境界から上方へ延出する境界側壁部であってその長手方向中間部位の幅方向中央部に形成した貫通孔部（２８ｂ）及び上記記長手方向中間部位の両側縁部のうち遊技板の上記前面側に位置する一側縁部に上記貫通孔部に向けて形成した切り欠き部（２８ａ）を有する境界側壁部（２８）と、この境界側壁部の延出端部から遊技板の上記前面に沿い外側レール部とは反対側へ縦断面曲がり形状に延出する先端側壁部（２７、２９）とを有しており、
球戻り防止装置は、板状装置本体（２１０Ａ、２５０、２７０）と、この装置本体の下縁部から下方に延出する板体（２３０、２６０Ａ、２４４、２４０ａ、２４５）と、装置本体にその板厚方向一側から形成される凹所（Ｆ）に設けられる球止め手段（２００ｃ）とを備えて、
板体は、装置本体の上記下縁部のうちその横方向一端部から下方に向けて延出する側板（２２０）と、装置本体の上記下縁部のうち上記横方向一端部を除く部位の上記板厚方向一側及び板厚方向他側からそれぞれ互いに対向して側板に沿い下方に向けて延出する第１及び第２の対向板（２３０、２６０Ａ、２４４、２４０ａ、２４５）とを具備しており、
第２の対向板は、装置本体の上記下縁部のうち上記横方向一端部を除く部位の上記板厚方向他側から下方に向けて第１の対向板に対し第１空隙部（Ｇａ）を介して対向するように延出する基端壁部（２４４）と、この基端壁部の下方にて側板から上記基端壁部に沿い延出する帯状の弾性片本体（２４６）と、この弾性片本体の延出先端部及び延出方向中間部位から装置本体の上記板厚方向一側に向けてそれぞれ突出する第１及び第２の突起（２４７、２４８）とを有する弾性片（２４０ａ）と、この弾性片の下方にて側板から弾性片本体に沿い延出する先端壁部（２４５）とにより構成されており、
装置本体は、その板厚方向中間部位内にて、上記第１空隙部から上記板厚方向一側に向けて縦断面曲がり形状に延出するように第２空隙部（Ｇｂ、Ｇｃ）を形成してなり、
球止め手段は、装置本体の板厚方向に回動可能に上記凹所内にて支持される軸状回動部材（２８０ａ、２８０ｄ）と、この軸状回動部材から上記凹所を介し装置本体の上記板厚方向一側の上方に向け延出する球止め片（２８０ｂ）と、球止め片と共に装置本体の上記板厚方向一側に向け鈍角を張るように上記凹所内にて軸状回動部材に連結される重錘（２８０ｃ）とを具備してなり、
球戻り防止装置は、弾性片の上記第２及び第１の突起にて内側レール部の上記組み付け部の上記貫通孔部及び上記切り欠き部に係合し、上記組み付け部の上記境界側壁部を側板と上記第１突起との間に係止するように、上記組み付け部の上記先端側壁部を上記第２空隙部に挿入しつつ、上記境界側壁部を弾性片本体の弾性のもとに第１及び第２の対向板の間に挟持してなることを特徴とする。以上により、請求項３に記載の発明の作用効果を達成することができる遊技盤の提供が可能となる。
【００４１】
また、本発明に係るパチンコ遊技機のための遊技盤は、請求項１０の記載によれば、
請求項８に記載の遊技板（１０）と、請求項８に記載の組み付け部（Ｒｐ）に代わる組み付け部（Ｒｐｃ）を有する案内レール（２０）と、請求項８に記載の多数の遊技釘（４１、４２）、球戻り防止装置、盤面前部品（３０、６０ａ、６０ｂ、７０、８０、９０、１００、１１０、１２０、１７０）及び盤面裏部品とを備える。
【００４２】
当該遊技盤において、内側レール部の上記組み付け部は、その長手方向中間部位の幅方向中央部に形成した貫通孔部（２８ｂ）と、上記長手方向中間部位の両側縁部のうち遊技板の上記前面側に位置する一側縁部に上記貫通孔部に向けて形成した一側切り欠き部（２８ａ）と、上記長手方向中間部位の他側縁部に互いに間隔をおいて形成した複数の他側切り欠き部（２８ｃ、２８ｄ）とを具備してなり、
球戻り防止装置は、板状装置本体（２１０Ａ、２５０、２７０）と、この装置本体の下縁部から下方に延出する板体（２３０、２６０Ａ、２４４、２４０ａ、２４５）と、装置本体にその板厚方向一側から形成される凹所（Ｆ）に設けられる球止め手段（２００ｃ）とを備えて、
板体は、装置本体の上記下縁部のうちその横方向一端部から下方に向けて延出する側板（２２０）と、装置本体の上記下縁部のうち上記横方向一端部を除く部位の上記板厚方向一側及び板厚方向他側からそれぞれ互いに対向して側板に沿い下方に向けて延出する第１及び第２の対向板（２３０、２６０Ａ、２４４、２４０ａ、２４５）とを具備しており、
第２の対向板は、装置本体の上記下縁部のうち上記横方向一端部を除く部位の上記板厚方向他側から下方に向けて第１の対向板に対し空隙部（Ｇａ）を介して対向するように延出する基端壁部（２４４）と、この基端壁部に沿いその下方にて側板から延出する帯状の弾性片本体（２４６）と、この弾性片本体の延出先端部及び延出方向中間部位から装置本体の上記板厚方向一側に向けてそれぞれ突出する第１及び第２の突起（２４７、２４８）とを有する弾性片（２４０ａ）と、弾性片本体に沿いその下方にて側板から延出する先端壁部（２４５）とにより構成されており、
球止め手段は、装置本体の板厚方向に回動可能に上記凹所内にて支持される軸状回動部材（２８０ａ、２８０ｄ）と、この軸状回動部材から上記凹所を介し装置本体の上記板厚方向一側の上方に向け延出する球止め片（２８０ｂ）と、球止め片と共に装置本体の上記板厚方向一側に向け鈍角を張るように上記凹所内にて軸状回動部材に連結される重錘（２８０ｃ）とを具備しており、
側板のうち第１及び第２の対向板との間の部位には、複数の突起（２２１ａ、２２１ｂ）が、側板の延出方向に沿い上記複数の他側切り欠き部の上記間隔に対応する間隔をおくようにして、第１及び第２の対向板との間に向けて突出形成されており、
球戻り防止装置は、側板の上記複数の突起にて内側レール部の上記組み付け部の上記複数の他側切り欠き部に係合し、弾性片の上記第２及び第１の突出部にて上記組み付け部の上記貫通孔部及び上記一側切り欠き部に係合するように、上記組み付け部を弾性片本体の弾性のもとに記第１及び第２の対向板の間に挟持することを特徴とする。以上により、請求項６に記載の発明の作用効果を達成することができる遊技盤の提供が可能となる。
【００４３】
なお、上記各手段の括弧内の符号は、後述する実施形態に記載の具体的手段との対応関係を示す。
【図面の簡単な説明】
【００４４】
【図１】本発明に係るパチンコ遊技機の第１実施形態を示す前面図である。
【図２】図１のパチンコ遊技機の遊技盤を示す前面図である。
【図３】図２の遊技盤において遊技板に対する案内レールの組み付け状態を示す前面図である。
【図４】図２の遊技盤の左上側隅角部を示す部分拡大斜視図である。
【図５】図２の遊技板に組み付けた案内レールの左上側部分及び球戻り防止装置を示す斜視図である。
【図６】図２の遊技盤において内側レール部に対する球戻り防止装置の組み付け状態を示す拡大斜視図である。
【図７】図６の球戻り防止装置の主部材を示す斜視図である。
【図８】図６の球戻り防止装置の副部材を示す斜視図である。
【図９】図６の球戻り防止装置の球止め機構を示す斜視図である。
【図１０】図７の主部材を遊技板の前面側から見た図である。
【図１１】図７の主部材を外側レール部側から見た図である。
【図１２】図７の主部材を遊技盤の遊技領域側から見た図である。
【図１３】図７の主部材を遊技板の上方から見た図である。
【図１４】図７の主部材を遊技板の下方から見た図である。
【図１５】図１１にて１５−１５線に沿う断面図である。
【図１６】図１０にて１６−１６線に沿う断面図である。
【図１７】図８の副部材を遊技板の前面側から見た図である。
【図１８】図８の副部材を遊技盤の遊技領域側から見た図である。
【図１９】図８の副部材を外側レール部側から見た図である。
【図２０】図８の副部材を遊技盤の遊技領域側から見た図である。
【図２１】図８の副部材を遊技板の下方から見た図である。
【図２２】図６の球戻り防止装置の分解斜視図である。
【図２３】図２２の主部材に対する球止め機構の組み付け状態を示す斜視図である。
【図２４】図２３の主部材及び球止め機構に対する副部材の組み付け状態を示す斜視図である。
【図２５】当該パチンコ遊技機の電子制御システムにおける主制御装置の詳細構成を示すブロック図である。
【図２６】当該パチンコ遊技機の電子制御システムにおける副制御装置の詳細構成を示すブロック図である。
【図２７】図２５の主制御装置のＣＰＵにより実行されるタイマー割り込みプログラムを表すフローチャートである。
【図２８】図２７の始動口処理ルーチンを示す詳細フローチャートである。
【図２９】図２７の特別図柄処理ルーチンを示す詳細フローチャートである。
【図３０】図２９の停止中処理サブルーチンを示す詳細フローチャートである。
【図３１】図２７の普通図柄処理ルーチンを示す詳細フローチャートである。
【図３２】図２７の大入賞口処理ルーチンを示す詳細フローチャートである。
【図３３】図３２の大当たり時開放処理サブルーチンを示す詳細フローチャートである。
【図３４】図３２の小当たり時開放処理サブルーチンを示す詳細フローチャートである。
【図３５】図２６の副制御装置の演出制御部のＣＰＵにより実行される演出制御プログラムを表すフローチャートである。
【図３６】本発明の第２実施形態の内側レール部の組み付け部を球戻り防止装置と共に示す斜視図である。
【図３７】図３６の球戻り防止装置の分解斜視図である。
【図３８】図３６の球戻り防止装置の内側レール部の組み付け部に対する組み付け過程を示す横断面図である。
【図３９】図３６の球戻り防止装置の内側レール部の組み付け部に対する組み付け完了状態を示す横断面図である。
【図４０】本発明の第３実施形態の内側レール部の組み付け部を示す斜視図である。
【図４１】上記第３実施形態における球戻り防止装置の主部材を示す斜視図である。
【図４２】本発明の第４実施形態の内側レール部の組み付け部を示す斜視図である。
【図４３】上記第４実施形態における球戻り防止装置の主部材を示す斜視図である。
【発明を実施するための形態】
【００４５】
以下、本発明の各実施形態を図面により説明する。
（第１実施形態）
図１は、本発明が適用されるパチンコ遊技機の第１実施形態を示している。当該パチンコ遊技機は、パチンコホール内の島に立設されるもので、このパチンコ遊技機は、基枠（図示しない）と、この基枠に対し前後方向に開閉可能に支持される遊技機本体Ｂ及び前扉ＦＤとにより構成されている。なお、上記パチンコ遊技機は、いわゆるデジパチ型のパチンコ遊技機である。
【００４６】
遊技機本体Ｂは、図２にて示すごとく、遊技盤Ｂａを備えており、この遊技盤Ｂａは、その遊技板１０でもって、遊技機本体Ｂの枠体（図示しない）に嵌装されている。なお、遊技機本体Ｂは、上記枠体にて、上記基枠に対し前後方向に開閉可能に支持されている。本第１実施形態では、図２において、紙面の図示手前側及び奥側が、それぞれ、遊技盤Ｂａの前側及び後側に対応し、図示左側及び右側が、それぞれ、遊技盤Ｂａの左側及び右側に対応し、また、図示上側及び下側が、それぞれ、遊技盤Ｂａの上側及び下側に対応する。
【００４７】
また、当該遊技盤Ｂａは、案内レール２０、環状のセンター構造物３０及び遊技釘群４０を備えている。案内レール２０は、図２及び図３にて示すごとく、遊技板１０の前面１１（遊技盤Ｂａの盤面１１に相当）に沿い配設されており、この案内レール２０は、内側レール部２０ａと、外側レール部２０ｂとによって構成されている。
【００４８】
ここで、内側レール部２０ａ及び外側レール部２０ｂは、共に、ステレンレス鋼でもって、所定の板厚（例えば、０．３５（ｍｍ））にて、帯状に形成されている。内側レール部２０ａは、図３にて明らかに示すごとく、その一端部側にて、球戻り防止装置２００（後述する）を組み付けるための組み付け部Ｒｐを有しており、当該内側レール部２０ａは、組み付け部Ｒｐから他端部２１にかけて下方に凸な円弧状となるように、遊技板１０の前面１１にその外周左上側部位から外周右側中央部位にかけて組み付けられている。また、外側レール部２０ｂは、内側レール部２０ａの外側にて、遊技板１０の前面１１にその外周右上側部位から外周左下側部位にかけて左上側隅角部側に向けて凸な円弧状となるように組み付けられている。なお、内側レール部２０ａ及び外側レール部２０ｂの各面は、遊技板１０の前面１１に直交している。
【００４９】
これにより、案内レール２０は、その内側において、遊技板１０の前面１１上に遊技領域１２を特定するとともに、内側レール部２０ａ及び外側レール部２０ｂのうち、これら内側レール部２０ａ及び外側レール部２０ｂの各対向部位の間にて、遊技板１０の前面１１に沿い遊技球の案内通路部１１ａを形成する。
【００５０】
以上のように構成した案内レール２０によれば、ハンドルＨ（図１参照）の回動操作により球発射装置（図示しない）から発射される遊技球は、案内通路部１１ａを通り遊技領域１２内に案内される。なお、上記球発射装置は、遊技機本体Ｂの上記枠体の右下部に配設されている。また、ハンドルＨは、上記球発射装置の一構成部品として遊技機本体Ｂの上記枠体の右下部にその前面から設けられている。
【００５１】
センター構造物３０は、図２にて示すごとく、遊技板１０の中央開口部（遊技盤Ｂａの中央開口部に相当）の外周部に前面１１（盤面１１）側から組み付けられている。遊技釘群４０は、多数の遊技釘４１及び所定数の遊技釘４２からなるもので、これら遊技釘４１、４２は、案内レール２０の内側において、センター構造物３０の左側から下側にかけて、遊技板１０にその前面１１側から分散して打ち込まれている。
【００５２】
しかして、遊技釘群４０によれば、案内レール２０の案内通路部２１ａから遊技領域１２内に転動する遊技球が、遊技板１０の前面１１（遊技盤Ｂａの盤面１１）に沿い、各遊技釘との衝突を経て、下方へ転動する。
【００５３】
但し、本第１実施形態では、画像表示器５０（後述する）の画面が最大限に拡大されているために、センター構造物３０も遊技板１０の前面１１に沿い拡大されている。さらに、アタッカー１７０（後述する）がセンター構造物３０の上部に介装されている。このため、遊技板１０の前面１１のうち、内側レール部２０ａの組み付け部Ｒｐ、外側レール部２０ｂのうち内側レール部２０ａの上方へ延在する部位及びセンター構造物３０の左上側部位との間に形成される前面部位は、狭くなっている。
【００５４】
そこで、遊技釘群４０のうち、上述した所定数の遊技釘４２は、図２及び図４にて示すごとく、内側レール部２０ａの組み付け部Ｒｐの上側及び内側に接近した位置にて、遊技板１０の前面１１に打ち込まれている。
【００５５】
また、当該遊技機Ｂａは、画像表示器５０を備えており、この画像表示器５０は、その液晶パネル５１にて、遊技板１０の中央開口部から前方を臨むように、遊技板１０の裏面に配設されて、表示制御部４００ｃ（後述する）による制御のもとに、種々の画像の表示を行う。
【００５６】
また、当該遊技盤Ｂａは、スタートチャッカー６０ａ、電動チューリップ６０ｂ、スルーゲート７０、風車８０、複数の普通入賞口９０、アタッカー１００（以下、第１アタッカー１００という）、複数の星形盤ランプ１１０及び複数の星形可動役物１２０を備えており、スタートチャッカー６０ａ、電動チューリップ６０ｂ、スルーゲート７０、風車８０、各普通入賞口９０、第１アタッカー１００及び各星形盤ランプ１１０は、図２にて示す各位置にて、遊技盤Ｂａの盤面１１に遊技領域１２内にて組み付けられている。また、各星形可動役物１２０は、図２にて示すごとく、センター構造物３０の右側部に配設されている。
【００５７】
ここで、スタートチャッカー６０ａは、センター構造物３０の下縁中央部の直下に位置している。このスタートチャッカー６０ａは、始動入賞口６１を備えており、当該スタートチャッカー６０ａは、始動入賞口６１への遊技球の入賞に基づき、大当たり抽選（大当たりか否かの抽選）の機会を形成する。
【００５８】
電動チューリップ６０ｂは、普通電動役物としての役割を果たすべく、スタートチャッカー６０ａの直下に位置しており、この電動チューリップ６０ｂは、電動入賞口６２を備えている。しかして、当該電動チューリップ６０ｂは、その閉鎖状態（図２にて示す状態）にて、遊技球を電動入賞口６２へ入賞させる可能性を有し、また、その開放状態にて、遊技球の電動入賞口６２への入賞の可能性を増大させる。本第１実施形態では、電動チューリップ６０ｂは、遊技盤Ｂａにその裏面側から設けた始動口アクチュエータ６３（図１９参照）により開閉駆動される。
【００５９】
スルーゲート７０は、センター構造物３０の左縁中央部の左側に位置しており、このスルーゲート７０は、その直上から遊技盤Ｂａの盤面１１に沿い下方へ転動する遊技球に対し通過する機会を与える。風車８０は、スルーゲート７０の下方に位置しており、この風車８０は、遊技盤Ｂａの盤面１１に沿いスルーゲート７０或いはその周囲から下方へ転動する遊技球により衝突されたとき、回転しつつ当該遊技球を下方へ転動させる。複数（３つ）の普通入賞口９０は、スタートチャッカー６０ａの左右両側に位置しており、左側の両普通入賞口９０は、その直上から下方へ転動する遊技球に対し入賞する機会を与える。また、右側の普通入賞口９０は、その直上から下方へ転動する遊技球に対し入賞する機会を与える。
【００６０】
第１アタッカー１００は、スタートチャッカー６０ａの直下に位置しており、この第１アタッカー１００は、可動部材１０１により大入賞口１０２（以下、第１大入賞口１０２という）を開くことによって、遊技盤Ｂａの盤面１１に沿いスタートチャッカー６０ａの近傍へ転動する遊技球に対し第１大入賞口１０２に入賞する機会を与える。また、当該第１アタッカー１００は、可動部材１０１により第１大入賞口１０２を閉鎖することによって、遊技球の第１大入賞口１０２への入賞を規制する。なお、この第１アタッカー１００による第１大入賞口１０２の開放は、始動入賞口６１への遊技球の入賞による抽選結果に基づき大当たりが成立したときになされる。可動部材１０１は、遊技盤Ｂａにその裏面から設けた第１大入賞口アクチュエータ１０３（図１９参照）により、駆動される。
【００６１】
複数の星形盤ランプ１１０は、左側の両普通入賞口９０の間及び右側の普通入賞口９０の右側に、２つずつ、位置しており、当該複数の星形盤ランプ１１０は、その各点滅により、所定の演出を行う。
【００６２】
また、当該遊技盤Ｂａは、図２にて示すごとく、普通図柄表示器１３０、特別図柄表示器１４０、普通図柄保留ランプ１５０及び特別図柄保留ランプ１６０を備えており、これら普通図柄表示器１３０、特別図柄表示器１４０、普通図柄保留ランプ１５０及び特別図柄保留ランプ１６０は、図２から分かるように、案内レール２０の右下側にて、遊技盤Ｂａの盤面１１の右下隅角部に配設されている。
【００６３】
特別図柄表示器１４０は、後述のごとく、遊技球の始動入賞口６１への入賞に対する始動入賞口センサＳ１の検出出力或いは遊技球の電動チューリップ６０ｂの電動入賞口６２への入賞に対する電チューセンサＳ２の検出出力に基づきなされる抽選の結果に応じて、所定の図柄を表示する。なお、当該所定の図柄は、普通図柄、確変図柄、小当たり図柄及びハズレ図柄のいずれかをいう。
【００６４】
各普通図柄保留ランプ１５０は、普通図柄の変動中或いは電動チューリップ６０ｂの作動中にスルーゲート７０を通過する遊技球に対するゲートセンサＳ３の検出回数（遊技球の通過数）に応じて、順次、点灯する。
【００６５】
各特別図柄保留ランプ１６０は、特別図柄の変動中或いは第１アタッカー１００及びアタッカー１７０（後述する）のいずれかの作動中における遊技球の始動入賞口６１への入賞に対する始動入賞口センサＳ１の検出回数或いは遊技球の電動チューリップ６０ｂの電動入賞口６２への入賞に対する電チューセンサＳ２の検出回数に応じて、順次、点灯する。
【００６６】
また、当該遊技機本体Ｂは、図２にて示すごとく、アタッカー１７０（以下、第２アタッカー１７０という）、報知抽選図柄表示器１８０及び両報知抽選図柄保留ランプ１９０を備えている。
【００６７】
第２アタッカー１７０は、センター構造物３０の上部を介し、遊技板１０にその前面１１側から設けられている。当該第２アタッカー１７０は、図２にて示すごとく、その大入賞口１７１にて、遊技板１０の前面１１から前方を臨むように、当該遊技板１０内に設けられており、この第２アタッカー１７０は、第２大入賞口アクチュエータ１７３（図１９参照）により駆動される羽根１７２により大入賞口１７１（以下、第２大入賞口１７１という）を左右方向に開閉可能に構成されている。なお、羽根１７２は、大入賞口１７１の左側壁部にて、軸１７２ａにより左右方向に傾動可能に支持されている。
【００６８】
このように構成した第２アタッカー１７０によれば、案内レール２０により遊技領域１２の上部に向けて案内される遊技球は、羽根１７２による第２大入賞口１７１の開放の際に第２大入賞口１７１への入賞の機会を得る。また、第２大入賞口１７１に入賞した遊技球は、当該第２大入賞口１７１の内部を通り、第２大入賞口１７１の底壁部から連通路１７１ａ内に落下していく。なお、連通路１７１ａは、液晶パネル５１の前面側にて、第２大入賞口１７１の底壁部から下方へ延出して左方へ湾曲して遊技盤Ｂａの左側面側に開口している（図２参照）。
【００６９】
報知抽選図柄表示器１８０は、第２アタッカー１７０の右側にて、遊技板１０の前面１１に設けられている。この報知抽選図柄表示器１８０は、短当たり遊技の終了後の遊技状態が確変状態にあるときや小当たり遊技の終了後の遊技状態が確変或いは非確変の遊技状態にあるときに、これら遊技状態のいずれかを、後述のような報知抽選によって、表示する役割を果たす。
【００７０】
両報知抽選図柄保留ランプ１９０は、報知抽選図柄表示器１８０の右側にて、遊遊技板１０の前面１１に設けられている。当該両報知抽選図柄保留ランプ１９０は、第２大入賞口１７１への遊技球の入賞に伴い点灯して、遊技球の保留を表す。
【００７１】
次に、本発明の要部を構成する球戻り防止装置２００（図２参照）について説明する。当該球戻り防止装置２００は、図２〜図４にて示すごとく、内側レール部２０ａに組み付けられている。以下、当該球戻り防止装置２００の構成につき、内側レール部２０ａとの関連において詳細に説明する。
【００７２】
内側レール部２０ａは、上述したごとく、組み付け部Ｒｐを有しており、この組み付け部Ｒｐは、遊技板１０の前面１１の外周左上側部位に位置している。当該内側レール部２０ａの組み付け部Ｒｐは、図５にて示すごとく、内側レール部２０ａのうち組み付け部Ｒｐ以外の部位と組み付け部Ｒｐとの間の境界部２２（図５にて二点鎖線参照）から一体的に延出してなるもので、この組み付け部Ｒｐは、内側レール部２０ａの上記一端部側の壁部２３（以下、一端部側壁部２３ともいう）と、横断面台形状の屈曲壁部２４と、内側レール部２０ａの境界部２２側の壁部２５（以下、境界部側壁部２５ともいう）とによって、構成されている。
【００７３】
屈曲壁部２４は、組み付け部Ｒｐの長手方向中間部位を、遊技板１０の前面１１に沿い内側レール部２０ａの内側（遊技領域１２側）方向へ台形状となるように屈曲形成してなるもので、この屈曲壁部２４は、頂壁部２４ａと、両傾斜壁部２４ｂ、２４ｃとによって構成されている。
【００７４】
頂壁部２４ａは、その両面にて、遊技板１０の前面１１に対し直交するように形成されており、この頂壁部２４ａの中央部には、貫通孔部２４ｄが形成されている。傾斜壁部２４ｂは、図５にて示すごとく、一端部側壁部２３と頂壁部２４ａとの間にて一端部側壁部２３から頂壁部２４ａに向けて遊技板１０の前面に沿い傾斜状に形成されており、傾斜壁部２４ｃは、頂壁部２４ａと境界部２２との間にて頂壁部２４ａから境界部２２にかけて遊技板１０の前面に沿い傾斜壁部２４ｂとは逆の方向に傾斜して形成されている。
【００７５】
球戻り防止装置２００は、内側レール部２０ａの組み付け部Ｒｐに対しその一側縁部（当該組み付け部Ｒｐの両側縁部のうち遊技板１０の前面１１とは反対側の縁部）から着脱可能に組み付けられるように、以下に述べるごとく構成されている。
【００７６】
当該球戻り防止装置２００は、図６〜図９のいずれかにより示すごとく、主部材２００ａと、副部材２００ｂと、球止め機構２００ｃとによって構成されている。なお、当該球戻り防止装置２００の構成に関する説明にあたり、図６において、内側レール部２０ａの組み付け部Ｒｐの一端部側壁部２３側及び境界部側壁部２５側が、それぞれ、当該球戻り防止装置２００の上側及び下側に対応するものとする。
【００７７】
主部材２００ａは、図６或いは図７にて示すごとく、基板２１０と、この基板２１０の下縁部２１１から共に延出する側板２２０、下壁２３０及び弾性板２４０と、基板２１０から突出する両突出壁２５０とを有するように、合成樹脂でもって、一体成形により形成されている。
【００７８】
側板２２０は、図７及び図１０〜図１６のいずれかにより示すごとく、主壁部２２１と、補助壁部２２２とを備えており、主壁部２２１は、基板２１０の下縁部２１１の横方向一端部から下方に向けて一体的に延出されている。補助壁部２２２は、主壁部２２１と共にＬ字状をなすように当該主壁部２２１の延出端部から弾性板２４０とは反対側へＬ字状に屈曲して延出されており、この補助壁部２２２の基板２１０側の端面の幅方向中央部には、１条の突部２２３が、補助壁部２２２の延出方向にわたり、横断面矩形状にて、基板２１０側に向け突出形成されている。
【００７９】
下壁２３０は、基板２１０の下縁部２１１の板厚方向一側部位のうち当該下縁部２１１の上記横方向一端部以外の部位に対する対応部位から下方に向けて一体的に延出されており、この下壁２３０は、その主壁部２２１側の端部にて、当該主壁部２２１と共にＬ字状をなすように、当該主壁部２２１の幅方向一縁部と一体となっている。
【００８０】
弾性板２４０は、主壁部２２１から分離してこの主壁部２２１に沿い、基板２１０の下縁部２１１の板厚方向他側部位のうち当該下縁部２１１の上記横方向一端部以外の部位に対する対応部位から下方に向けて一体的に延出されており、当該弾性板２４０は、基端壁部２４１、縦断面台形状の中央壁部２４２及び先端壁部２４３でもって一体的に構成されている。
【００８１】
基端壁部２４１は、基板２１０の下縁部２１１の板厚方向他側部位のうち当該下縁部２１１の上記横方向一端部以外の部位に対する対応部位から下方に向けて平板状に延出されている。
【００８２】
中央壁部２４２は、弾性板２４０の延出方向中間部位（基端壁部２４１と先端壁部２４３との間の部位）を下壁２３０とは反対側へ横断面台形状となるように屈曲形成してなるもので、この中央壁部２４２は、頂壁部２４２ａと、両傾斜壁部２４２ｂ、２４２ｃとによって構成されている。
【００８３】
頂壁部２４２ａは、基端壁部２４１の延出方向に対し平行となっている。両傾斜壁部２４２ｂ、２４２ｃのうち、傾斜壁部２４２ｂは、基端壁部２４１と頂壁部２４２ａとの間にて、基端壁部２４１の延出縁部から頂壁部２４２ａの上縁部にかけて傾斜状に形成されている。また、傾斜壁部２４２ｃは、頂壁部２４２ａと先端壁部２４３との間にて、頂壁部２４２ａの下縁部から先端壁部２４３の上縁部にかけて、傾斜壁部２４２ｂと共に断面八の字状をなすように、当該傾斜壁部２４２ｂとは逆の方向に傾斜して形成されている。
【００８４】
先端壁部２４３は、中央壁部２４２の傾斜壁部２４２ｃの下縁部から弾性板２４０の延出方向に沿い延出されている。
【００８５】
以上のように構成した弾性片２４０は、その形成材料である合成樹脂の弾性力のもとに、基板２１０の下縁部２１１を基準として、側板２２０の主壁部２２１の幅方向に沿い撓むようになっている。
【００８６】
両突出壁２５０は、図７にて示すごとく、基板２１０上にてその横方向中心を基準とし互いに対称的な形状にて対向するように突出形成されており、当該両突出壁２５０は、それぞれ、両壁部２５１、２５２を基板２１０の横方向両端部上に上下に形成して構成されている。
【００８７】
両壁部２５１は、それぞれ、凹部２５３を有しており、これら凹部２５３は、それぞれ、図７にて示すごとく、各対応の壁部２５１をその対向面側からくりぬくことで形成されている。ここで、当該各凹部２５３は、その各対向面側からみて、それぞれ、横断面半円状底面部２５３ａと、この底面部２５３ａの両端部から両突出壁２５０の突出方向に沿い互いに平行に延出する両平行面部２５３ｂとを有するように、くりぬき形成されている。なお、底面部２５３ａの半径及び両平行面部２５３ｂの各延出長さは、それぞれ、支持ピン２８０ｄ（後述する）の半径にほぼ等しい。
【００８８】
両壁部２５２は、それぞれ、図７にて示すごとく、基板２１０の上縁部からその横方向両端部よりも各内側にて、図示上方に向けて突出形成されている。これにより、当該両壁部２５２は、それぞれ、基板２１０の上縁部の横方向両端部上において、各対応の壁部２５１と共に凹所２５４を形成している。なお、各凹所２５４の底面２５４ａは、図１０にて例示するごとく、壁部２５２に沿い、壁部２５１に近づく程、図示下方へ傾斜している。
【００８９】
副部材２００ｂは、図６にて示すごとく、球止め機構２００ｃを介して、主部材２００ａに組み付けられている。当該副部材２００ｂは、図６或いは図８にて示すごとく、蓋板２６０と、両脚片２７０とを有するように、合成樹脂でもって、一体成形により形成されている。
【００９０】
蓋板２６０は、図６にて示すごとく、主部材２００ａの下壁２３０と共に、弾性板２４０との間に内側レール部２０ａの組み付け部Ｒｐを挟持するもので、当該蓋板２６０は、図６、図８及び図１７〜図２１のいずれかにより示すごとく、基端壁部２６１、中央壁部２６２及び先端壁部２６３でもって構成されている。
【００９１】
当該蓋板２６０において、基端壁部２６１は、図６から分かるように、蓋板２６０の中央壁部２６２と弾性板２４０の中央壁部２４２との間に内側レール部２０ａの組み付け部Ｒｐの板厚に相当する所定の間隙を付与する役割を果たすもので、この基端壁部２６１は、その弾性板２４０側の面２６１ａにて、当該弾性板２４０の基端壁部２４１の延出方向に平行となっている（図６、図８或いは図１７参照）。
【００９２】
中央壁部２６２は、図６にて示すごとく、弾性板２４０の中央壁部２４２に対向するように、基端壁部２６１と先端壁部２６３との間に形成されており、当該中央壁部２６２は、頂面部２６２ａ及び両傾斜面部２６２ｂ、２６２ｃからなる縦断面台形状の屈曲面を、弾性板２４０における中央壁部２４２の頂壁部２４２ａ及び両傾斜壁部２４２ｂ、２４２ｃに対して上記所定の間隙を介し対向させるように形成されている。
【００９３】
先端壁部２６３は、弾性板２４０の先端壁部２４３に対向するように、蓋板２６０に形成されており、当該先端壁部２６３は、その弾性板２４０側の面２６３ａにて、当該弾性板２４０の基端壁部２４１の延出方向に平行となっている。
【００９４】
蓋板２６０は、切り欠き部２６４を設けてなるもので、この切り欠き部２６４は、蓋板２６０において先端壁部２６３の側板２２０側に対する対応端部をその板厚方向に沿い横断面矩形状に切り欠くことで形成されている。これにより、切り欠き部２６４は、蓋板２６０の横方向に平行な内面部２６４ａ及び当該横方向に直交する内面部２６４ｂを有するように、構成されている。
【００９５】
また、当該切り欠き部２６４は、溝部２６５を設けてなり、この溝部２６５は、補助壁部２２２の突部２２３に対応し得るように、切り欠き部２６４にその内面部２６４ａ側から脚片２７０の延出方向に向け、横断面矩形状に形成されている。
【００９６】
また、当該蓋板２６０は、図１７及び図１９〜図２１のいずれかにて示すごとく、円柱台状突起２６６を設けてなり、この円柱台状突起２６６は、中央壁部２６２の頂面部２６２ａの中央部から円柱台状に突出形成されている。ここで、当該突起２６６の突出端面２６６ａは、その主壁部２２１側端部からその反対側端部側に向けて、頂面部２６２ａ上まで傾斜するように形成されており、この突起２６６の突出長さは、内側レール部２０ａの板厚よりも幾分短い。
【００９７】
両脚片２７０は、それぞれ、蓋板２６０の上縁部である基端壁部２６１の横方向両端部から上方に向け互いに平行に延出してなるもので、当該両脚片２７０は、共に、基端側片部２７１、先端側片部２７２及び先端突部２７３を有するように構成されている。
【００９８】
両基端側片部２７１は、それぞれ、主部材２００ａの主壁部２２１の基端部及びこの基端部に対する下壁２３０の横方向反対側端部に対応するように、蓋板２６０の上縁部の横方向両端部位から上方に向け、横断面矩形状にて、互いに平行に延出されている。本第１実施形態では、当該両基端側片部２７１は、それぞれ、各突出壁２５０の壁部２５１の突出高さよりも厚い板厚を有するとともに、各壁部２５１の横方向幅に等しい横方向幅を有する。
【００９９】
両先端側片部２７２は、それぞれ、各対応の壁部２５１にその突出端面側から対応するように、各対応の基端側片部２７１からその延出方向に延出されている。ここで、当該両先端側片部２７２の各横方向幅は、各対応の基端側片部２７１の横方向幅と同一である。また、当該両先端側片部２７２の各板厚は、各対応の基端側片部２７１の板厚から各対応の壁部２５１の突出高さを除いた厚さに相当する。
【０１００】
両先端突部２７３は、それぞれ、各対応の先端側片部２７２の延出端部のうち各対向側部位から主部材２００ａの各凹所２５４に向けて突出形成されている（図８、図１７、図１９或いは図２０のいずれか参照）。換言すれば、両先端突部２７３は、その間にて、各対応の突出壁２５０の壁部２５２を挟持するように突出形成されている。なお、両先端突部２７３は、その各突出端面２７３ｓにて、主部材２００ａの両凹所２５４の底面２５４ａに接合し得るように、当該底面２５４ａと同一方向に傾斜している（図１７及び図２０参照）。
【０１０１】
球止め機構２００ｃは、図９にて示すごとく、円筒状回動軸２８０ａ、球止め片２８０ｂ、円筒状重錘２８０ｃ及び支持ピン２８０ｄによって構成されている。球止め片２８０ｂは、回動軸２８０ａからその軸に直交するように延出されている。円筒状重錘２８０ｃは、その軸にて、回動軸２８０ａの軸に平行となるように、連結片２８１を介し回動軸２８０ａに連結されている。ここで、連結片２８１は、球止め片２８０ｂに対し、回動軸２８０ａの軸を中心として所定の鈍角をなすように、回動軸２８０ａから延出されている。なお、円筒状重錘２８０ｃの内部には、ネジが螺着されている。これにより、重錘２８０ｃは、上記ネジと相俟って、重りとしての役割を果たす。
【０１０２】
支持ピン２８０ｄは、円筒状回動軸２８０ａに同軸的に挿通されており、当該支持ピン２８０ｄは、その軸方向両端部にて、主部材２００ａにおける両突出壁２５０の各壁部２５１に形成した凹部２５３内に回動可能に受承される。なお、本第１実施形態において、球止め機構２００ｃは、支持ピン２８０ｄ及び上記ネジを除き、合成樹脂により形成されている。
【０１０３】
以上のような構成を有する球戻り防止装置２００は、次のようにして、組み立てられる（図２２〜図２４参照）。まず、図２２にて示すごとく、上述のように構成した主部材２００ａ、副部材２００ｂ、及び支持ピン２８０ｄを含む球止め機構２００ｃを準備する。
【０１０４】
このような状態にて、球止め機構２００ｃの回動軸２８０ａに支持ピン２８０ｄを挿通する。然る後、支持ピン２８０ｄを、その回動軸２８０ａからの両延出端部にて、図２３にて示すごとく、主部材２００ａの両突出壁２５０の各凹部２５３内に収容する。このとき、この収容は、球止め片２８０ｂを主部材２００ａの上側に位置させるように、行う（図２３参照）。
【０１０５】
然る後、副部材２００ｂを、次のようにして、球止め機構２００ｃを介し、主部材２００ａに組み付ける。
【０１０６】
まず、両脚片２７０が両回動壁２５０に対向し、かつ、蓋板２６０が主壁部２２１、下壁２３０及び弾性板２４０に対向して位置するように、副部材２００ｂを、図２２或いは図２３にて図示上方から、主部材２００ａに対向させる。
【０１０７】
このような状態にて、側板２２０の突部２２３が蓋板２６０の溝部２６５内にその長手方向に沿い上方から嵌装されるとともに両突出壁２５０が両脚片２７０の各基端側片部２７１上に接合されるように、副部材２００ｂを主部材２００ａに組み付ける。
【０１０８】
このとき、両脚片２７０の各々が、先端突部２７３にて、主部材２００ａの各凹所２５４内に係合し、当該先端突部２７３及び基端側片部２７１によりその間にて両突出壁２５０の各壁部２５１を挟持し、側板２２０が、突部２２３にて、蓋板２６０の溝部２６５内に係合する。
【０１０９】
ここで、両脚片２７０の各先端突部２７３の突出端面２７３ａは、上述したごとく、主部材２００ａの各凹所２５４の底面２５４ａと同一の傾斜方向に形成されているので、副部材２００ｂは、主部材２００ａに対する組み付けの際に、溝部２６５にて、主部材２００ａの突部２２３に対し両脚片２７０の延出方向とは逆方向に向け押し付けられる。このため、蓋板２６０の補助壁部２２２に対する組み付けがより一層良好になされ得る。
【０１１０】
これにより、副部材２００ｂは、主部材２００ａに球止め機構２００ｃを介し相対的に位置ずれ不能にしっかりと組み付けられ得る（図２４参照）。以上のようにして球止め機構２００ｃが組み立てられている。
【０１１１】
このような組み立て後において、円筒状重錘２８０ｃが、その自重により、蓋板２６０と基板２１０との間にて、基板２１０側に位置すれば、球止め片２８０ｂは、回動軸２８０ａから基板２１０とは反対側へ上方に向け傾斜して位置する。また、球止め片２８０ｂを、基板２１０側へ傾動させれば、円筒状重錘２８０ｃは、蓋板２６０と基板２１０との間にて、蓋板２６０側へ傾動する。
【０１１２】
このようにして組み立てられた球戻り防止装置２００は、図６にて示すごとく、内側レール部２０ａの組み付け部Ｒｐを下壁２３０及び蓋板２６０と弾性板２４０との間に挟持している。但し、球止め片２８０ｂは、内側レール部２０ａの組み付け部Ｒｐの左側に位置している。また、蓋板２６０の突起２６６は、組み付け部Ｒｐの貫通孔部２４ｄ内に係合している。
【０１１３】
前扉ＦＤは、遊技機本体Ｂの枠体とともに、前後方向に開閉可能に上記基枠に支持されており、この前扉ＦＤは、図１にて示すごとく、前枠ＦＤ１の中空部に窓ガラスＦＤ２を嵌め込んで構成されている。当該前扉ＦＤは、演出ボタンスイッチＢＴ、枠ランプＬＰ及び両スピーカＳＰを備えている。
【０１１４】
次に、上記パチンコ遊技機の電子制御システムについて説明すると、当該電子制御システムは、図２５及び図２６のいずれかにて示すごとく、センサ群Ｓ、主制御装置３００及び副制御装置４００を備えており、センサ群Ｓは、図２５にて示すごとく、始動入賞口センサＳ１、電チューセンサＳ２、ゲートセンサＳ３、各普通入賞口センサＳ４、第１大入賞口センサＳ５及び第２大入賞口センサＳ６でもって構成されている。
【０１１５】
主制御装置３００は、図２５及び図２６から分かるように、センサ群Ｓ、被駆動素子群ＤＲＶ１及び副制御装置４００の間に接続されている。主制御装置３００は、マイクロコンピュータからなるもので、この主制御装置３００は、図２５にて示すごとく、バスライン３１０と、このバスライン３１０を介し相互に接続してなる入力側インターフェース３２０、各出力側インターフェース３３０、３４０、３５０、ＣＰＵ３６０、ソフトタイマー３７０、ＲＯＭ３８０及びＲＡＭ３９０を備えている。なお、本第１実施形態において、以下、入力側インターフェースは、Ｉ／Ｆといい、また、出力側インターフェースは、Ｏ／Ｆという。
【０１１６】
しかして、主制御装置３００は、ＣＰＵ３６０により、ソフトタイマー３７０からのパルス信号の発生ごとに、図２７〜図３４にて示すフローチャートに従いタイマー割り込みプログラムを実行する。このタイマー割り込みプログラムの実行中において、主制御装置３００は、ＣＰＵ３６０により、センサ群Ｓからの出力に基づき、被駆動素子群ＤＲＶ１及び副制御装置４００の制御に要する種々の演算処理を行う。なお、ソフトタイマー３７０は、当該パチンコ遊技機の電源投入に伴う主制御装置３００の作動開始と同時にリセットされて計時を開始し、この開始後、４（ｍｓ）の経過毎に、上記パルス信号を発生し、バスライン３１０を介してＣＰＵ３６０に出力する。
【０１１７】
また、被駆動素子群ＤＲＶ１は、図２５にて示すごとく、上述した始動口アクチュエータ６３、第１大入賞口アクチュエータ１０３、普通図柄表示器１４０、特別図柄表示器１４０、各普通図柄保留ランプ１５０、各特別図柄保留ランプ１６０及び第２大入賞口アクチュエータ１７３でもって、構成されている。
【０１１８】
ＲＯＭ３８０には、上述したタイマー割り込みプログラムがＣＰＵ３６０により読み出し可能に予め記憶されている。また、ＲＯＭ３８０には、大当たり乱数データＲＮＡ、大当たり図柄乱数データＲＮＢ、リーチ乱数データＲＮＣ、変動パターン乱数データＲＮＤ、当たり乱数データＲＮＥ及び初期値乱数データＲＮＦが、ＣＰＵ３６０により読み出し可能に予め記憶されている。
【０１１９】
さらに、ＲＯＭ３８０には、大当たり乱数テーブルＴＢ１、大当たり図柄乱数テーブルＴＢ２、リーチ乱数テーブルＴＢ３及び当たり乱数テーブルＴＢ４が、ＣＰＵ３６０により読み出し可能に予め記憶されている。
【０１２０】
副制御装置４００は、図２６にて示すごとく、払い出し制御部４００ａ、演出制御部４００ｂ、画像制御部４００ｃ及びランプ制御部４００ｄでもって構成されている。払い出し制御部４００ａは、マイクロコンピュータからなるもので、この払い出し制御部４００ａは、バスライン４１０と、このバスライン４１０を介し相互に接続してなるＩ／Ｆ４１１、Ｏ／Ｆ４１２、ＣＰＵ４１３、ＲＯＭ４１４及びＲＡＭ４１５を備えている。
【０１２１】
しかして、当該払い出し制御部４００ａは、ＣＰＵ４１３により、ＲＯＭ４１４に予め記憶済みの所定の払い出し制御プログラムを、所定のフローチャート（図示しない）に従い実行し、この実行中において、Ｉ／Ｆ４０及びバスライン４１０を介する主制御装置３００からの払い出しコマンド制御のもとに、払い出し駆動モータＭの駆動制御を行う。なお、払い出し駆動モータＭは、上記球払い出し系統内に配設されている。
【０１２２】
演出制御部４００ｂは、主制御装置３００からのコマンド制御のもとに、画像制御部４００ｃを介し、画像表示器５０、両スピーカＳＰ、報知抽選図柄表示器１８０及び両報知抽選図柄保留ランプ１９０を共に或いは選択的に駆動制御し、また、ランプ制御部４００ｄを介し、枠ランプＬＰ、各星形盤ランプ９０及び各星形可動役物１２０を共に或いは選択的に駆動制御するものである。
【０１２３】
当該演出制御部４００ｂは、マイクロコンピュータからなるもので、この演出制御部４００ｂは、バスライン４２０と、このバスライン４２０を介し相互に接続してなるＩ／Ｆ４２１、Ｉ／Ｆ４２２、Ｉ／Ｏ／Ｆ４２３、Ｏ／Ｆ４２４、ＣＰＵ４２５、ＲＯＭ４２６及びＲＡＭ４２７を備えている。なお、Ｉ／Ｏ／Ｆ４２３は、入出力側インターフェースを表す。しかして、当該演出制御部４００ｂは、ＣＰＵ４２５により、演出制御プログラムを、図３５にて示すフローチャートに従い実行する。この実行中において、当該演出制御部４００ｂは、Ｉ／Ｆ４２１及びバスライン４２０を介する主制御装置３００からのコマンド制御、Ｉ／Ｏ／Ｆ４２３を介する画像制御部４００ｃからの要求やＩ／Ｆ４２２を介する演出ボタンスイッチＢＴの押動操作出力のもとに、画像表示器５０、両スピーカＳＰ、報知抽選図柄表示器１８０、両報知抽選図柄保留ランプ１９０、枠ランプＬＰ、各星形盤ランプ９０及び各星形可動役物１２０を共に或いは選択的に駆動制御するように、Ｉ／Ｏ／Ｆ４２３やＯ／Ｆ４２４を介し画像制御部４００ｃやランプ制御部４００ｄを制御するように種々の演算処理を行う。なお、上記演出制御プログラムは、ＣＰＵ４２５により読み出し可能にＲＯＭ４２６に予め記憶されている。
【０１２４】
画像制御部４００ｃは、マイクロコンピュータからなるもので、この画像制御部４００ｃは、バスライン４３０と、このバスライン４３０を介し相互に接続してなるＩ／Ｏ／Ｆ４３１、Ｏ／Ｆ４３２、ＣＰＵ４３３、ＲＯＭ４３４及びＲＡＭ４３５を備えている。しかして、当該画像制御部４００ｃは、ＣＰＵ４３３により、ＲＯＭ４３４に予め記憶した画像表示制御プログラムを、所定のフローチャート（図示しない）に従い実行し、この実行中において、演出処理部４００ｂからのコマンド制御に基づき、画像表示器５０、両スピーカＳＰ、報知抽選図柄表示器１８０及び両報知抽選図柄保留ランプ１９０を共に或いは選択的に駆動制御するに要する種々の演算処理をする。
【０１２５】
ランプ制御部４００ｄは、マイクロコンピュータからなるもので、このランプ制御部４００ｄは、バスライン４４０と、このバスライン４４０を介し相互に接続してなるＩ／Ｆ４４１、Ｏ／Ｆ４４２、ＣＰＵ４４３、ＲＯＭ４４４及びＲＡＭ４４５を備えている。しかして、当該ランプ制御部４００ｄは、ＣＰＵ４４３により、ＲＯＭ４４４に予め記憶したランプ制御プログラムを、所定のフローチャート（図示しない）に従い実行し、この実行中において、演出処理部４００ｂからのコマンド制御に基づき、枠ランプＬＰ、両星形盤ランプ９０、両星形可動役物１２０共に或いは選択的に駆動制御するに要する種々の演算処理をする。
【０１２６】
以上ように構成した本第１実施形態においては、当該パチンコ遊技機の遊技盤Ｂａは、次のようにして組み立てられる。まず、図２及び図３にて示す遊技板１０を準備する。ついで、遊技釘群４０の多数の遊技釘４１及び所定数の遊技釘４２を、図２或いは図４にて示すごとく、分散させるようにして、適宜な釘打ち機（図示しない）を用いて、遊技板１０の前面１１に打ち込む。なお、風車８０も、図２にて示す位置にて、一遊技釘４１を介し遊技板１０の前面１１に組み付ける。
【０１２７】
然る後、案内レール２０の内側レール部２０ａ及び外側レール部２０ｂを、図２及び図３にて示す各位置にて、遊技板１０の前面１１に組み付ける。これにより、遊技領域１２が、遊技板１０の前面１１において案内レール２０によって特定される。
【０１２８】
このように、案内レール２０が組み付けられることで、遊技群４０のうちの所定数の遊技釘４２が、図２或いは図４にて示すごとく、内側レール部２０ａの組み付け部Ｒｐの上方近傍その他の近傍に、接近して位置することとなる。
【０１２９】
上述のように案内レール２０の遊技板１０の前面１１に対する組み付けが終了すると、球戻り防止装置２００が、次のようにして、内側レール部２０ａの組み付け部Ｒｐに着脱可能に組み付けられる。
【０１３０】
まず、上述のように組み立てた球戻り防止装置２００を、図５にて示すごとく、主部材２００ａ及び副部材２００ｂの各外面にて、内側レール部２０ａの組み付け部Ｒｐの両外面に沿わせるように、把持する。
【０１３１】
詳細には、球戻り防止装置２００が、主部材２００ａの弾性板２４０及び副部材２００ｂの蓋板２６０を、側壁２００ｂとは反対側の各端部にて、内側レール部２０ａの組み付け部Ｒｐの一側縁部（組み付け部Ｒｐの遊技板１０の前面１１側とは反対側の側縁部）に対向させるように、把持する。
【０１３２】
然る後、球戻り防止装置２００を、そのまま、内側レール部２０ａの組み付け部Ｒｐに向けて移動させる。これに伴い、組み付け部Ｒｐが、その上記一側縁部から、球戻り防止装置２００の弾性板２４０と蓋板２６０との間に挿入される。
【０１３３】
このとき、組み付け部Ｒｐが上記所定の板厚を有するため、弾性板２４０が、その弾性のもとに、蓋板２６０とは反対側へ撓みながら、突起２６６を越えて側板２２０側へ挿入される。これに伴い、組み付け部Ｒｐが、一端部側壁部２３、屈曲壁部２４及び境界部側壁部２５にて、それぞれ、下壁２３０及び蓋板２６０の基端壁部２６１と弾性板２４０の基端壁部２４１との間、蓋板２６０の中央壁部２６２と弾性板２４０の中央壁部２４２との間、並びに蓋板２６０の先端壁部２６３と弾性板２４０の先端壁部２４３との間に挿入される（図６参照）。ここで、屈曲壁部２４は、傾斜壁部２４ｂ、頂壁部２４ａ及び傾斜壁部２４ｃにて、それぞれ、中央壁部２６２の傾斜面部２６２ｂと中央壁部２４２の傾斜壁部２４２ｂとの間、中央壁部２６２の頂壁部２４２ａと中央壁部２４２の頂壁部２４２ａとの間、及び中央壁部２６２の傾斜面部２６２ｃと中央壁部２４２の傾斜壁部２４２ｃとの間に挿入される。
【０１３４】
このとき、突起２６６の突出端面２６６ａは、上述のごとく、側板２２０側から当該側板２２０とは反対側へ蓋板２６０の頂面部２６２ａに向けて傾斜しているから、上述した弾性板２４０の突起２６６を越える挿入は、円滑になされ得る。これに伴い、突起２６６が組み付け部Ｒｐの貫通孔部２４ｄ内に係合した後、弾性板２４０は、原形状に復帰する。
【０１３５】
このように、弾性板２４０の突起２６６が、組み付け部Ｒｐの貫通孔部２４ｄ内に係合するとともに、組み付け部Ｒｐが、弾性板２４０の弾性力のもとに、蓋板２６０及び下壁２３０と弾性板２４０との間に挟持される。
【０１３６】
これにより、当該球戻り防止装置２００は、蓋板２６０の突起２６６の内側レール部２０ａの組み付け部Ｒｐの貫通孔部２４ｄに対する係合により、組み付け部Ｒｐから離脱することなく、しっかりと、当該組み付け部Ｒｐにより保持され得る。ここで、内側レール部２０ａの組み付け部Ｒｐの屈曲壁部２４、弾性板２４０の中央壁部２４２及び蓋板２６０の中央壁部２６２が、互いに対応する縦断面台形状の面でもって形成されているため、組み付け部Ｒｐは、両中央壁部２４２、２６２の間にて横方向に傾くことなく保持され得る。また、組み付け部Ｒｐは、一端部側壁部２３の先端部にて、基板２１０の下縁部に当接しており、当該組み付け部Ｒｐの側板２２０側の端部は、当該側板２２０に当接している。従って、組み付け部Ｒｐが側板２２０とは反対側傾くように位置ずれすることもない。
【０１３７】
このようにして球戻り防止装置２００の組み付けが終了すると、センター構造物３０、スタートチャッカー６０ａ、電動チューリップ６０ｂ、スルーゲート７０、各普通入賞口９０、第１アタッカー１００、各星形盤ランプ１１０及び各星形可動役物１２０その他の盤面前部品を、図２にて示す各位置にて、遊技板１０の前面１１に組み付ける。
【０１３８】
ついで、画像表示器５０を、その液晶パネル５１にて、遊技板１０の中央開口部から前方を臨むように、遊技板１０の裏面に配設する。その後、遊技板Ｂａにおける盤面裏部品を、遊技板１０にその裏面側から組み付ける。以上のような組み立て工程を経て、遊技盤Ｂａの組み立てが終了する。
【０１３９】
以上のような遊技盤Ｂａの組み立て工程において、球戻り防止装置２００の組み付けにあたっては、当該球戻り防止装置２００が、内側レール部２０ａの組み付け部Ｒｐにその上記一側縁部側から組み付けられる。換言すれば、当該球戻り防止装置２００は、遊技板１０の前面１１に沿い内側レール部２０ａの組み付け部Ｒｐにその上方から組み付けられるのではなく、遊技板１０の前面１１の前方から内側レール部２０ａの組み付け部Ｒｐの幅方向（組み付け部Ｒｐの面に沿う方向）に沿い前面１１に向けて組み付けられる。
【０１４０】
従って、上述したごとく、各遊技釘４２が、内側レール部２０ａの組み付け部Ｒｐの上方近傍その他の近傍に近接して位置していても、当該各遊技釘４２が、内側レール部２０ａの組み付け部Ｒｐに対する球戻り防止装置２００の組み付け作業の邪魔になることがなく、球戻り防止装置２００を内側レール部２０ａの組み付け部Ｒｐに対し円滑に組み付けることができる。
【０１４１】
また、上述したごとく、当該球戻り防止装置２００の内側レール部２０ａの組み付け部Ｒｐに対する組み付けを終えた状態においては、内側レール部２０ａがその組み付け部Ｒｐにて、弾性板２４０の弾性力のもとに、当該弾性板２４０と蓋板２６０及び下壁２３０との間にてしっかりと挟持されている。また、蓋板２６０が、突起２６６にて、内側レール部２０ａの組み付け部Ｒｐの貫通孔部２４ｄ内に係合している。
【０１４２】
さらに、組み付け部Ｒｐが、縦断面台形状の屈曲壁部２４にて、弾性板２４０の縦断面台形状の中央壁部２４２と蓋板２６０の縦断面台形状の上記屈曲面との間に挟持されている。しかも、組み付け部Ｒｐは、一端部側壁部２３の先端部にて、基板２１０の下縁部に当接しており、当該組み付け部Ｒｐの側板２２０側の端部は、当該側板２２０に当接している。従って、球戻り防止装置２００が、内側レール部２０ａの組み付け部Ｒｐに対し遊技板１０の前面１１の前側へ傾いたりすることなく、しっかりと、内側レール部２０ａの組み付け部Ｒｐに組み付けられ得る。
【０１４３】
以上のように組み付けを終了した遊技盤Ｂａを、その遊技板１０でもって、遊技機本体Ｂの上記枠体に嵌装した後、上記パチンコ遊技機をその電源投入により遊技可能な作動状態におけば、主制御装置３００が、副制御装置４００とともに、作動状態になる。これに伴い、主制御装置３００のソフトタイマー３７０がリセットされて計時を開始し、この開始後４（ｍｓ）の経過毎に、パルス信号を発生する。このため、主制御装置３００は、ソフトタイマー３７０からのパルス信号の発生毎に、ＣＰＵ３６０により、図２７のフローチャートに従い上記タイマー割り込みプログラムを繰り返し実行する。
【０１４４】
また、副制御装置４００の作動開始に伴い、払い出し制御部４００ａ、演出制御部４００ｂ及びランプ制御部４００ｄが、共に、作動し始める。すると、払い出し制御部４００ａは、そのＣＰＵ４１３により、上記払い出し制御プログラムの実行を開始し、演出制御部４００ｂは、ＣＰＵ４２５により、上記演出制御プログラムの実行を、図３５のフローチャートに従い開始し、表示制御部４００ｃが、ＣＰＵ４３３により、上記表示制御プログラムの実行を開始し、さらに、ランプ制御部４００ｄが、ＣＰＵ４４３により、上記ランプ制御プログラムの実行を開始する。
【０１４５】
以下、上記パチンコ遊技機の作動を複数の作動モードに分けて説明する。
１．無遊技作動モード
現段階において、上記パチンコ遊技機は、その電源投入により作動状態となり、遊技者による遊技の開始を待つ状態にあるものとする。なお、「無遊技モード」とは、当該パチンコ遊技機において未だ遊技者による遊技がなされないモード（いわゆる空き台状態に対応するモード）をいう。
【０１４６】
しかして、ソフトタイマー３７０が上記電源投入に基づく主制御装置３００の作動開始に伴いパルス信号を発生する毎に、上記タイマー割り込みプログラムの割り込みが実行される。まず、ソフトタイマー３７０が最初のパルス信号を発生すると、上記タイマー割り込みプログラムは、上記最初のパルス信号に基づく割り込みにより、スタートステップにて実行開始される。すると、乱数更新処理ルーチン５００において、大当たり乱数データＲＮＡ、大当たり図柄乱数データＲＮＢ、リーチ乱数データＲＮＣ、変動パターン乱数データＲＮＤ及び当たり乱数データＲＮＥが、それぞれ、次の各式（１）〜（５）に基づき、「１」ずつ、加算更新される。
【０１４７】
ＲＮＡ＝ＲＮＡ＋１・・・（１）
ＲＮＢ＝ＲＮＢ＋１・・・（２）
ＲＮＣ＝ＲＮＣ＋１・・・（３）
ＲＮＤ＝ＲＮＤ＋１・・・（４）
ＲＮＥ＝ＲＮＥ＋１・・・（５）
ここでは、乱数が、数列（例えば、０〜２９９）に沿い、上記パチンコ遊技機の電源投入と同時に、初期値「０」で開始し、順次、「１」ずつ、加算していき、最終値「２９９」に達するとリセットにより上記初期値「０」に戻る。
【０１４８】
現段階では、主制御装置３００の作動開始時であることから、乱数更新処理ルーチン５００では、式（１）〜式（５）の各左辺におけるＲＮＡ、ＲＮＢ、ＲＮＣ、ＲＮＤ及びＲＮＥの各初期値は、共に、「０」となる。従って、式（１）〜式（５）において、ＲＮＡ＝１、ＲＮＢ＝１、ＲＮＣ＝１、ＲＮＤ＝１及びＲＮＥ＝１とセットされる。
【０１４９】
然る後、上記タイマー割り込みプログラムは、始動口処理ルーチン６００（図２７及び図２８参照）に進む。現段階では、遊技球の始動入賞口６１への入賞はないことから、これに対応する始動入賞センサＳ１の出力に基づき、ステップ６１０（図２８参照）においてＮＯと判定される。これに伴い、上記タイマー割り込みプログラムは、次のゲート処理ルーチン７００（図２７参照）に進むと、現段階では遊技球によるスルーゲート７０の通過はないことから、上記タイマー割り込みプログラムは、次のセンサ出力に基づく処理ルーチン８００（図２７参照）を通り、賞球処理ルーチン９００に進むと、上述のごとく現段階では何ら遊技球の入賞はないことから、上記タイマー割り込みプログラムは、次の特別図柄処理ルーチン１０００に進む（図２７及び図２９参照）。
【０１５０】
この特別図柄処理ルーチン１０００において、現段階では、未だ遊技者による遊技は、開始されておらず、遊技状態が大当たり遊技状態及び図柄変動状態のいずれでもない。従って、大当たり中及び変動中のいずれでもないことから、両ステップ１０１０、１０２０における判定は順次ＮＯとなる。また、現段階では、遊技球の保留は未だ発生していないことから、ステップ１０３０における判定もＮＯとなる。これに伴い、上記タイマー割り込みプログラムは、次の普通図柄処理ルーチン２０００（図２７及び図３１参照）に進む。
【０１５１】
この普通図柄処理ルーチン２０００においては、上記パチンコ遊技機の遊技状態は補助遊技状態及び変動状態のいずれでもないことから、各ステップ２１００、２２００において順次ＮＯと判定される。さらに、現段階では遊技球によるスルーゲート７０の通過もないことから、これに対応するゲートセンサＳ３の出力に基づき、２３００における判定もＮＯとなる。これに伴い、上記タイマー割り込みプログラムは、次の大入賞口処理ルーチン３０００（図２７及び図３２参照）に進む。
【０１５２】
この大入賞口処理ルーチン３０００では、大当たり時間開放処理サブルーチン３１００（図３３参照）において、現段階では、未だ遊技がなされておらず、従って、大当たり中ではないことから、ステップ３１１０においてＮＯと判定される。ついで、小当たり時間開放処理ルーチン３２００（図３４参照）において、現段階ではオープニング中でもエンディング中でもないことから各ステップ３２１０、３２３０にて順次ＮＯと判定される。
【０１５３】
ついで、現段階では、第１大入賞口１０２の開放はなされておらず、かつ、この第１大入賞口１０２への入賞はないため、ステップ３２４０においてＮＯと判定される。なお、ステップ３２４０の「Ｃ＜９」において、「Ｃ」は、第１大入賞口１０２への遊技球の入賞数を表す。
【０１５４】
上述のようなステップ３２４０におけるＮＯと判定に伴い、大入賞口処理ルーチン３０００の処理が終了し、上記タイマー割り込みプログラムは、次の電チュー処理ルーチン４０００（図２７参照）に進む。すると、現段階では、当該パチンコ遊技機の遊技状態が補助遊技状態にはないことから、上記タイマー割り込みプログラムは、次の出力処理ルーチン５０００に進む。現段階では、上記パチンコ遊技機による遊技者の遊技は開始されていないことから、主制御装置３００において、ＣＰＵ３６０は、遊技者の遊技を待つ状態を表すコマンドを副制御装置４００に出力する。しかして、出力処理ルーチン５０００の処理が上述のように終了すると、上記タイマー割り込みプログラムは、初期値乱数更新ルーチン６０００に進む。ここでは、乱数の数列における最終値が発現したとき、次の乱数の初期値を偶発性のある値により決定する。
【０１５５】
上述のようにタイマー割り込みプログラムが初期値乱数更新ルーチン６０００に進むと、初期値乱数データＲＮＦが、次の式（６）に基づき、「１」だけ、加算更新される。
【０１５６】
ＲＮＦ＝ＲＮＦ＋１・・・（６）
しかして、ソフトタイマー３７０が、上記最初のパルス信号に後続して、パルス信号を発生すると、主制御装置３００は、ＣＰＵ３６０により、上述の初期値乱数更新ルーチン６０００の閉ループ処理から脱出して、上記タイマー割り込みプログラムを、再び、スタートステップから実行し始める。
【０１５７】
上述のようにタイマー割り込みプログラムの実行が再びスタートステップから開始されると、乱数更新処理ルーチン５００において、大当たり乱数データＲＮＡの乱数が、式（１）に基づき、上述の初期値乱数更新ルーチン６０００の閉ループ処理からの脱出直前における初期値乱数データＲＮＦの乱数を、初期値として、「１」だけ、加算更新される。
【０１５８】
ついで、上記タイマー割り込みプログラムが、上述と同様に、始動口処理ルーチン６００から出力処理ルーチン５０００にかけて実行し、初期値乱数更新ルーチン６０００の実行に移行する。これに伴い、初期値乱数データＲＮＢの乱数は、初期値乱数更新ルーチン６０００の閉ループ処理のもとに、式（６）に基づき、０から２９９にかけて、順次、「１」ずつ、繰り返し、加算更新される。
【０１５９】
以後、ソフトタイマー３７０がパルス信号を順次発生する毎に、即ち、主制御装置３００の作動開始後４（ｍｓ）の経過毎に、上記タイマー割り込みプログラムが割り込み実行される。そして、この割り込み実行毎に、乱数更新処理ルーチン５００において、大当たり乱数データＲＮＡが、初期値乱数更新ルーチン６０００の閉ループ処理にて大当たり乱数データＲＮＡの初期値として設定される初期値乱数データＲＮＢの値をもとに、式（１）に基づき「１」ずつ加算更新されるとともに、大当たり図柄乱数データＲＮＢ、リーチ乱数データＲＮＣ、変動パターン乱数データＲＮＤ及び当たり乱数データＲＮＥが、それぞれ、「１」ずつ、加算更新される。そして、これらのような加算更新毎に、乱数更新処理ルーチン５００に後続する始動口処理ルーチン６００〜初期値乱数更新ルーチン６０００の処理が上述と同様に繰り返される。
２．遊技作動モード
以上のような無遊技作動モードの状態において、遊技者が、遊技球の払い出しを受けて上記パチンコ遊技機による遊技を開始して、当該パチンコ遊技機の作動状態を遊技作動モードにおくものとする。以下、この遊技作動モードを、主制御装置側遊技作動モード及び複制御装置側遊技作動モードに分けて説明する。
（１）主制御装置側遊技作動モード
上述のように遊技者が、遊技を開始するにあたり、上記パチンコ遊技機のハンドルＨを回動操作すれば、遊技球が、順次、上記球発射装置により案内レール２０を通り遊技領域１２内に発射される。
【０１６０】
なお、このような段階においても、上記タイマー割り込みプログラムの割り込み実行毎に、乱数更新処理ルーチン５００において、大当たり乱数データＲＮＡ、大当たり図柄乱数データＲＮＢ、リーチ乱数データＲＮＣ、変動パターン乱数データＲＮＤ及び当たり乱数データＲＮＥが、上述と同様に、加算更新される。
（１）始動口処理
乱数更新処理ルーチン５００の更新処理が上述のように終了すると、上記タイマー割り込みプログラムは始動口処理ルーチン６００（図２７及び図２８参照）に進む。遊技球の始動入賞口６１への入賞が、始動入賞口センサＳ１により検出されると、始動口処理ルーチン６００のステップ６１０において、遊技球の始動入賞口６１への入賞として、ＹＥＳと判定される。然る後、Ｕ＜４か否かが、ステップ６２０において判定される。なお、Ｕは、遊技球の保留数を表す。
【０１６１】
現段階では、Ｕ＝０であるとすれば、ステップ６２０においてＹＥＳと判定されて、次のステップ６２１において、保留数Ｕが次の式（７）に基づき算出される。
【０１６２】
Ｕ＝Ｕ＋１・・・（７）
ここで、上述のごとく、Ｕ＝０であることから、式（７）に基づき、保留数Ｕ＝１と算出される。
【０１６３】
ついで、ステップ６２２における乱数のセット処理において、乱数更新処理ルーチン５００（図２７参照）における大当たり乱数データＲＮＡ、大当たり乱数データＲＮＢ、リーチ乱数データＲＮＣ、変動パターン乱数データＲＮＤ、当たり乱数データＲＮＥ及びリーチ乱数データＲＮＣの各最新の乱数が、ＲＡＭ３９０にセットされる。
【０１６４】
然る後、上述のように遊技領域１２内に順次発射された遊技球が、さらに、始動入賞口６１に順次入賞すると、これら各遊技球の始動入賞口６１への各入賞が、順次、始動入賞口センサＳ１により検出される。従って、上記タイマー割り込みプログラムが再び始動口処理ルーチン６００に進むごとに、各ステップ６１０、６２０においてＹＥＳと判定され、ステップ６２１において、式（７）に基づき保留数Ｕの加算処理がなされ、ステップ６２２において、上述と同様に、現段階における大当たり乱数データＲＮＡ、大当たり乱数データＲＮＢ、リーチ乱数データＲＮＣ、変動パターン乱数データＲＮＤ及び当たり乱数データＲＮＥの各最新の乱数が、ＲＡＭ３９０にセットされる。このような状態において、ステップ６２１における最新の保留数Ｕに基づき、Ｕ≧４が成立すると、その後のステップ６２０において、ＮＯと判定される。
（２）ゲート処理
上述のような始動口処理ルーチン６００の終了に伴い、次のゲート処理ルーチン７００において、遊技球のスルーゲート７０に対する通過毎に、ゲートセンサＳ３の検出に基づき、保留数Ｇが、次の式（８）に基づき加算更新される。
【０１６５】
Ｇ＝Ｇ＋１・・・・（８）
（３）センサ出力に基づく処理
ついで、上記タイマー割り込みプログラムのセンサ出力に基づく処理ルーチン８００（図２７参照）において、上述した始動入賞口センサＳ１或いはゲートセンサＳ３の各検出出力が、ＲＡＭ３９０にセットされる。
（４）賞球処理
然る後、上記タイマー割り込みプログラムが次の賞球処理ルーチン９００（図２７参照）に進むと、この賞球処理ルーチン９００において、上述した遊技球の始動入賞口６１への入賞数に応じた賞球コマンド或いは遊技球のスルーゲート７０に対する通過数に応じたコマンドが設定される。
（５）特別図柄処理
ついで、上記タイマー割り込みプログラムが特別図柄処理ルーチン１０００に進むと、ステップ１０１０（図２９参照）において、大当たり中か否かが判定される。現段階において、ステップ１３１０（図２９参照）で既に変動開始処理済みであれば、大当たり遊技中、即ち、大当たり中であることから、ステップ１０１０においてＹＥＳと判定される。
【０１６６】
一方、現段階において、ステップ１３１０における変動開始処理が未だなされていなければ、大当たり中でないことから、ステップ１０１０においてＮＯと判定される。すると、次のステップ１０２０において変動中か否かが判定される。現段階では、上述のようにステップ１３１０における変動開始処理がなされておらず、ステップ１０２０における判定はＮＯとなり、ステップ１０３０において、Ｕ≧１か否かが判定される。
【０１６７】
しかして、始動口処理ルーチン６００における最新の保留数がＵ＝０であれば、Ｕ≧１が不成立であるから、ステップ１０３０においてＮＯと判定される。一方、始動口処理ルーチン６００における最新の保留数がＵ≧１であれば、ステップ１０３０においてＹＥＳと判定されて、ステップ１０３１において、保留数Ｕが、次の式（９）に基づき、減算更新される。
【０１６８】
Ｕ＝Ｕ−１・・・・（９）
ステップ１０３１における処理後、次の大当たり判定処理サブルーチン１１００（図２９参照）において、始動口処理ルーチン６００のステップ６２２にてセット済みの大当たり乱数データＲＮＡの最新の乱数が、大当たり乱数テーブルＴＢ１中の乱数値、例えば、「７」であるか否かに基づき、大当たりか否かが判定され、大当たりでなければ、上記ハズレ図柄がセットされ、一方、大当たりであれば、始動口処理ルーチン６００のステップ６２２にてセット済みの大当たり図柄乱数テーブルＴＢ２の最新の乱数に基づき上記通常図柄或いは上記確変図柄がセットされる。
【０１６９】
このようにして大当たり判定処理サブルーチン１１００の処理が終了すると、次の変動パターン選択処理サブルーチン１２００（図２９参照）において、大当たり、短当たり、小当たり或いはリーチかに基づき、大当たりを特定するテーブル、第２大入賞口開放パターンを表すデータ及び短当たり潜伏用テーブルの双方、第２大入賞口開放パターンを表すデータ及び小当たり潜伏用テーブルの双方或いはリーチ用テーブルがセットされ、乱数更新処理ルーチン５００（図２７参照）における変動パターン乱数データＲＮＤの最新の乱数が変動パターン選択用乱数としてセットされ、大当たり用、短当たり用、小当たり用或いはリーチ用の変動パターンがセットされる。
【０１７０】
このようにして変動パターン選択処理サブルーチン１２００の処理が終了すると、次のステップ１３００（図２９参照）において、変動開始コマンドセット処理がなされる。これに伴い、ステップ１２７０でセット済みの変動パターンに対する変動開始コマンドがセットされる。
【０１７１】
ついで、ステップ１３１０における変動開始処理において、主制御装置３００が、ＣＰＵ３６０により、ステップ１２７０でセット済みの変動パターンを表示するように特別図柄表示器１４０を駆動する。このため、特別図柄表示器１４０は、当該変動パターンによる変動表示を行う。
【０１７２】
ステップ１３１０の処理後、ステップ１３２０における変動時間計時開始処理において、上記変動パターンの変動時間の計時が開始される。ここで、この変動時間の計時は、主制御装置３００に内蔵のソフトタイマーにより行われる。
【０１７３】
然る後、特別図柄処理ルーチン１０００が再びステップ１０２０に進んだとき、ＹＥＳと判定されると、次のステップ１４００において、変動時間の終了か否かが判定される。現段階において、ステップ１３２０で変動時間計時開始された変動時間が未だ所定の変動時間に達していなければ、ステップ１４００における判定はＮＯとなる。
【０１７４】
このような状態において、特別図柄処理ルーチン１０００が、再び、ステップ１４００に進んだとき、ステップ１３２０で変動時間計時開始された変動時間が上記所定の変動時間に達していれば、当該ステップ１４００において、ＹＥＳと判定される。すると、ステップ１４１０における変動停止コマンドセット処理において、変動停止コマンドが、ステップ１３１０において開始された変動パターンの変動表示を停止させるようにセットされる。
【０１７５】
ついで、ステップ１４２０における変動停止処理において、主制御装置３００が、ＣＰＵ３６０により、上述した特別図柄表示器１４０の変動表示を停止させる。このため、特別図柄表示器１４０は、当該変動パターンによる変動表示を停止する。
【０１７６】
ステップ１４２０の処理後、ステップ１４３０における変動時間のリセット処理において、上記所定の変動時間がリセットされて、特別図柄処理ルーチン１０００は、停止中処理サブルーチン１５００（図２９及び図３０参照）に進む。
【０１７７】
換言すれば、特別図柄処理ルーチン１０００において、大当たり或いはハズレとの判定（ステップ１１２０参照）がなされた後、大当たり、短当たり、小当たり或いはハズレとの判定（各ステップ１２２０、１２３０、１２４０参照）に伴いセットされた大当たり、短当たり、小当たり或いはハズレ用変動パターンの変動演出がなされ、その停止に伴い、停止中処理サブルーチン１５００の処理がなされる。
【０１７８】
この停止中処理サブルーチン１５００では、ステップ１５１０（図３０参照）において当たりか否かが判定される。ここで、当該当たりとは、大当たり及び短当たりのいずれかをいう。現段階において、変動パターン選択処理サブルーチン（図２９参照）にてセット済みの変動パターンが大当たり用、短当たり用及び小当たり用の各変動パターンのいずれでもなければ、当たりでないことから、ステップ１５１０においてＮＯと判定される。すると、次のステップ１５２０においてＪ＝０か否かが判定される。ここで、Ｊは、時短遊技中の特別図柄の変動回数を表す。なお、時短遊技とは、非確変図柄による大当たり遊技の終了後、特別図柄変動時間が短縮され、かつ電動チューリップ６０ｂの開放時間が延長されることにより、遊技者の持ち球を減少させることなく効率よく特別図柄を変動させる遊技をいう。
【０１７９】
現段階において、Ｊ＝０でなければ、ステップ１５２０において、ＮＯと判定された後、次のステップ１５２１において、変動回数Ｊが、次の式（１０）に基づき「１」だけ減算更新される。
【０１８０】
Ｊ＝Ｊ−１・・・・（１０）
ついで、ステップ１５３０において、Ｊ＝０か否かにつき、再度、判定される。現段階において、Ｊ＝０でなければ、ステップ１５３０においてＮＯと判定される。然る後、停止処理ルーチン１５００が、少なくとも１回、ステップ１５３０に達したとき、Ｊ＝０であれば、ステップ１５３０においてＹＥＳと判定される。これにより、時短遊技が終了する。そして、次のステップ１５３１における通常遊技状態セット処理において、通常遊技状態がセットされる。
【０１８１】
上述したステップ１５１０において、変動パターン選択処理サブルーチン（図２９参照）にてセット済みの変動パターンが大当たり用、短当たり用及び小当たり用の各変動パターンのいずれかであることから、ＹＥＳと判定された場合には、次のステップ１５４０において、小当たりか否かにつき判定される。ここで、変動パターン選択処理サブルーチンにてセット済みの変動パターンが小当たり用変動パターンであれば、この小当たり用変動パターンは小当たりに対応することから、ステップ１５４０においてＹＥＳと判定され、ステップ１５４１における小当たり開始コマンドセット処理において、小当たり演出にあたり演出制御部４００ｂに出力するための小当たり開始コマンドがセットされる。
【０１８２】
ついで、ステップ１５４２において小当たり開始処理がなされる。ここでは、第１アタッカー１００及び第２アタッカー１７０に対する開放処理が次のようになされる。
【０１８３】
第１アタッカー１００は、上記小当たり潜伏用テーブル（ステップ１２４２参照）に基づき、ＣＰＵ３６０による制御のもとに駆動される。即ち、第１アタッカー１００の可動部材１０１が、上記小当たり潜伏用テーブルに基づきＣＰＵ３６０による制御を受けて、第１大入賞口アクチュエータ１０３により駆動されて、第１大入賞口１０２の開放及び閉鎖を、上記小当たり潜伏用テーブルの小当たり開放パターンに従い行う。換言すれば、第１大入賞口１０２は、２ラウンドに亘り、１ラウンド毎に、０．５（秒）ずつ開放される。これに伴い、上述のように遊技領域１２内に発射された遊技球が、第１大入賞口１０２に入賞し易くなる。
【０１８４】
このような第１大入賞口１０２の開放及び閉鎖に併行して、第２アタッカー１７０が、変動パターン選択処理サブルーチン（図２９参照）にてセット済みの第２大入賞口開放パターンデータに基づき、ＣＰＵ３６０による制御のもと、次のように駆動される。即ち、第２大入賞口アクチュエータ１７３が、上記第２大入賞口開放パターンデータに基づくＣＰＵ３６０による制御のもとに、羽根１７０ｃを、第２大入賞口１７１を開放するように左方へ傾動させる。
【０１８５】
然る後、第２大入賞口アクチュエータ１７３が、羽根１７０ｃを、第２大入賞口１７１を閉鎖する方向へ傾動させる。このような第２大入賞口１７１の開放及び閉鎖は、上記第２大入賞口開放パターンデータに基づき繰り返される。換言すれば、小当たり遊技において、第２大入賞口１７１は、２ラウンドに亘り、０．１（秒）ずつ、０．８（秒）間隔にて、繰り返し開放される。これにより、遊技球が第２大入賞口１７１に対し入賞する可能性が生ずる。
【０１８６】
以上のように、ステップ１５４２における小当たり開始処理では、第１大入賞口１０２が上記小当たり用開放パターンに従い開放及び閉鎖されるのにあわせて、第２大入賞口１７１が上記第２大入賞口開放パターン従い開放及び閉鎖される。これにより、遊技球が第１大入賞口１０２に入賞し易くなるのにあわせて、遊技球の第２大入賞口１７１への入賞の可能性が生ずる。
【０１８７】
また、ステップ１５４３における小当たり開始信号出力処理において、小当たり遊技の開始を表す小当たり開始信号を副制御装置４００に出力する。
【０１８８】
一方、上述のステップ１５４０において、変動パターン選択処理サブルーチン（図２９参照）にてセット済みの変動パターンが大当たり用及び短当たり用のいずれかの変動パターンであれば、小当たりでないことから、ＮＯと判定される。これに伴い、次の確変遊技状態サブルーチン１５５０（図３０参照）において、確変図柄であるか否か及び通常遊技状態であるか否かに応じて、遊技状態が、時短遊技状態、潜伏遊技状態或いは確変遊技状態にセットされる。
【０１８９】
然る後、次のステップ１５６０（図３０参照）において、大当たり開始コマンドがセットされる。ここでは、ステップ１５４０におけるＮＯとの判定の根拠が、上述のごとく、変動パターン選択処理サブルーチン（図２９参照）にてセット済みの大当たり用及び短当たり用のいずれかの変動パターンであることから、大当たり開始コマンドは、大当たり及び短当たりのいずれかの開始コマンドとしてセットされる。
【０１９０】
ついで、次のステップ１５７０において、大当たり開始処理がなされる。ここでは、上述のステップ１５４０におけるＮＯとの判定の根拠のもとに、ステップ１５６０において大当たりの開始コマンドがセット済みであれば、ステップ１５７０の処理が、大当たり遊技（１５ラウンド大当たり遊技）を上述の１５ラウンド大当たりパターンに従う第１アタッカー１００の開放制御を行うためになされる。また、ステップ１５６０において短当たりの開始コマンドがセット済みであれば、ステップ１５７０の処理が、短当たり遊技（２ラウンド大当たり遊技）を上述の第２大入賞口開放パターンに従う第２大入賞口１０２の開放制御とともに行うためになされる。
【０１９１】
即ち、上述のごとく、変動パターン選択処理サブルーチン１２００のステップ１２３０においてＮＯと判定された後ステップ１２３１にて大当たり用テーブルがセットされた後に、停止中処理ルーチン１５００がステップ１５７０に達した場合には、第１アタッカー１００が、上記大当たり用テーブルに基づき、ＣＰＵ３６０による制御のもとに駆動される。即ち、第１アタッカー１００の可動部材１０１が、上記大当たり用テーブルの１５ラウンド大当たり開放パターンに基づきＣＰＵ３６０による制御を受けて、第１大入賞口アクチュエータ１０３により駆動されて、第１大入賞口１０２の開放及び閉鎖を、上記１５ラウンド大当たり開放パターンに従い行う。換言すれば、第１大入賞口１０２は、１５ラウンドに亘り、１ラウンド毎に、遊技球を９個入賞させ或いは３０（秒）の経過まで開放される。これに伴い、上述のように遊技領域１２内に発射された遊技球が、第１大入賞口１０２に入賞し易くなる。その結果、遊技者は多数の賞球を獲得するチャンスを得ることが可能である。
【０１９２】
一方、上述のごとく、変動パターン選択処理サブルーチンのステップ１２３０においてＹＥＳと判定された後第２大入賞口開放パターンデータがステップ１２４１にてセットされるとともに短当たり用潜伏用テーブルがステップ１２４２でセットされた後に、停止中処理ルーチン１５００がステップ１５７０に達した場合には、第１アタッカー１００は、上記短当たり潜伏用テーブル（ステップ１２４２参照）に基づき、ＣＰＵ３６０による制御のもとに駆動される。即ち、第１アタッカー１００の可動部材１０１が、上記短当たり潜伏用テーブルに基づきＣＰＵ３６０による制御を受けて、第１大入賞口アクチュエータ１０３により駆動されて、第１大入賞口１０２の開放及び閉鎖を、上記短当たり潜伏用テーブルの短当たり開放パターンに従い行う。換言すれば、第１大入賞口１０２は、２ラウンドに亘り、１ラウンド毎に、０．５（秒）ずつ開放される。これに伴い、上述のように遊技領域１２内に発射された遊技球が、第１大入賞口１０２に入賞し易くなる。
【０１９３】
このような第１大入賞口１０２の開放及び閉鎖に併行して、第２アタッカー１７０が、ステップ１５４２の処理と同様に、第２アタッカー１７０の第２大入賞口１７１が、変動パターン選択処理サブルーチン（図２９参照）にてセット済みの第２大入賞口開放パターンデータに基づき、開放及び閉鎖される。これにより、遊技球が第２大入賞口１７１に対し入賞する可能性が生ずる。
【０１９４】
以上のように、ステップ１５７０における大当たり開始処理では、第１大入賞口１０２が上記大当たり用開放パターンに従い開放及び閉鎖される。或いは、第１大入賞口１０２が上記短当たり用開放パターンに従い開放及び閉鎖されるのにあわせて、第２大入賞口１７１が上記第２大入賞口開放パターン従い開放及び閉鎖される。これにより、遊技球が第１大入賞口１０２に入賞し易くなるのにあわせて、遊技球の第２大入賞口１７１への入賞の可能性が生ずる。
【０１９５】
上述したステップ１５７０の処理後、次のステップ１５８０における大当たり開始信号出力処理において、大当たり遊技、換言すれば、大当たり遊技及び短当たり遊技のいずれかの開始を表す大当たり開始信号が副制御装置４００に出力される。
（６）普通図柄処理
上述のようにして特別図柄処理ルーチン１０００の処理が終了すると、上記タイマー割り込みプログラムは、普通図柄処理ルーチン２０００（図２７及び図３１参照）に進む。すると、ステップ２１００（図３１参照）において補助遊技中か否かにつき判定される。現段階において、補助遊技中であれば、ステップ２１００における判定はＹＥＳとなる。
【０１９６】
一方、補助遊技中でなければ、ステップ２１００においてＮＯと判定された後、次のステップ２２００において、変動中か否かが判定される。
【０１９７】
現段階において、普通図柄の変動中でなければ、ステップ２２００におけるＮＯとの判定後、ステップ２３００において、Ｇ≧１か否かにつき判定される。ここで、最新のスルーゲート７０に対する遊技球の保留数ＧがＧ＝０であれば、ステップ２３００における判定はＮＯとなる。一方、Ｇ≧１が成立すれば、ステップ２３００においてＹＥＳと判定された後、ステップ２３１０において、次の式（１１）に基づき、保留数Ｇが「１」だけ減算更新される。
【０１９８】
Ｇ＝Ｇ−１・・・・（１１）
然る後、ステップ２３１１における当たり抽選用乱数セット処理において、乱数更新処理ルーチン５００（図２７参照）における当たり乱数データＲＮＥの最新の乱数が当たり抽選用乱数としてセットされる。
【０１９９】
ついで、ステップ２３２０において当たりか否かにつき判定される。現段階において、当たりであれば、ステップ２３２０における判定はＹＥＳとなり、次のステップ２３２１における当たり図柄セット処理において、当たり図柄がセットされる。また、ステップ２３２０における判定がＮＯとなる場合には、ステップ２３２２におけるハズレ図柄セット処理において、ハズレ図柄がセットされる。
【０２００】
ステップ２３２１或いは２３２２における処理後、ステップ２３３０において、確変又は時短の遊技状態か否かにつき判定される。現段階において、確変及び時短のうちのいずれかの遊技状態であれば、ステップ２３３０においてＹＥＳと判定された後、ステップ２３３１において、変動時間が３（秒）にセットされる。一方、ステップ２３３０における判定がＮＯとなるときには、ステップ２３３２において、変動時間が２９（秒）とセットされる。
【０２０１】
このようにして、ステップ２３３１或いはステップ２３３２の処理がなされた後は、ステップ２３３３における変動開始処理において、普通図柄表示器１３０により、ステップ２３２１にてセット済みの当たり図柄或いはステップ２３２２にてセット済みのハズレ図柄の変動表示が開始される。これに伴い、ステップ２３３４における変動時間計時開始処理において、主制御装置３００に内蔵のソフトタイマーがリセットされて計時を開始する。
【０２０２】
然る後、普通図柄処理ルーチン２０００が再びステップ２２００に進むと、ステップ２３３３において既に変動開始済みであることから、当該ステップ２２００においてＹＥＳと判定される。すると、ステップ２３４０において変動時間終了か否かが判定される。ここで、ステップ２３３４において計時開始済みの上記ソフトタイマーの計時時間が、所定の変動時間に達していなければ、ステップ２３４０における判定はＮＯとなる。
【０２０３】
このような状態において、普通図柄処理ルーチン２０００が再びステップ２３４０に進んだとき、ステップ２３３４において計時開始済みの上記ソフトタイマーの計時時間が上記所定の変動時間に達していれば、ステップ２３４０においてＹＥＳと判定される。これに伴い、ステップ２３４１における変動停止処理において、ステップ２３３３において開始した当たり図柄或いはハズレ図柄の変動が普通図柄表示器１３０において停止される。なお、ステップ２３４２において、変動時間のリセットがなされる。
【０２０４】
然る後、次のステップ２４００において、当たりか否かについて判定される。ここで、当たりでなければ、ステップ２４００における判定はＮＯとなる。一方、ステップ２４００における判定がＹＥＳとなるときには、ステップ２４１０における補助遊技開始処理において、補助遊技が開始される。
（７）大入賞口処理
以上のようにして普通図柄処理ルーチン１０００の処理が終了すると、上記タイマー割り込みプログラムは、大入賞口処理ルーチン３０００（図２７及び図３２〜図３４参照）に進む。
【０２０５】
この大入賞口処理ルーチン３０００において、大当たり時開放処理ルーチン３１００は、概略的には、大当たり遊技の開始にあたり、オープニング演出を経て、ラウンド数Ｒ＝上限値（例えば１５）の成立まで、第１大入賞口１０２の開放及び閉鎖を、繰り返すことで、遊技者に対し大きな賞球の獲得の機会を与えるように構成されている（図３３参照）。
【０２０６】
また、小当たり時開放処理サブルーチン３２００は、概略的には、大当たり遊技の開始の際のオープニング演出の終了に伴い、第１大入賞口１０２を開放した後閉鎖することで、遊技者に対し、賞球の獲得の機会を与えるように構成されている（図３４参照）。
【０２０７】
以下、大当たり時開放処理ルーチン３１００及び小当たり時開放処理サブルーチン３２００の各処理について、順次、詳細に説明する。
【０２０８】
大当たり時開放処理サブルーチン３１００（図３３参照）において、ステップ３１１０にて大当たり中か否かが判定される。現段階においては、大当たり中でなければ、ステップ３１１０においてＮＯと判定される。一方、大当たり中であれば、ステップ３１１０における判定はＹＥＳとなる。
【０２０９】
このように大当たり中であるためにステップ３１１０における判定がＹＥＳになると、次のステップ３１２０において、オープニング中か否かが判定される。ここで、オープニングとは、大当たり遊技の開始に伴い当該大当たり遊技の開始を表すオープニング演出をいう。現段階において、オープニング中であれば、ステップ３１２０においてＹＥＳと判定された後、ステップ３１３０において、オープニング時間経過か否かが判定される。現段階において、所定のオープニング時間が未だ経過していなければ、ステップ３１３０における判定はＮＯとなる。なお、上記所定のオープニング時間は、主制御装置３００に内蔵のソフトタイマーにより計時される。
【０２１０】
ステップ３１３０におけるＮＯとの判定後、大当たり時開放処理サブルーチン３１００が、少なくとも１回以上、ステップ３１３０に進んだとき、上記所定のオープニング時間が経過していれば、当該ステップ３１３０において、ＹＥＳと判定される。そして、次のステップ３１３１において、ラウンド数Ｒが、次の式（１２）に基づき、加算更新される。
【０２１１】
Ｒ＝Ｒ＋１・・・・・（１２）
このようにしてステップ３１３１における処理が終了すると、次のステップ３１３２における第１大入賞口開放処理において、第１アタッカー１００が、可動部材１０１にて、ＣＰＵ３６０による制御のもと、第１大入賞口アクチュエータ１０３により駆動されて、第１大入賞口１０２を開放する。これにより、上述のように遊技領域１２内に発射される遊技球が、第１大入賞口１０２に入賞し易くなる。その結果、遊技者は、多くの賞球の獲得を期待できる。
【０２１２】
ステップ３１３２の処理後、ステップ３１４０において、開放時間経過か否かが判定される。現段階において、第１大入賞口１０２に対する所定の開放時間が未だ経過していなければ、ステップ３１４０においてＮＯと判定される。本第１実施形態では、上述の所定の開放時間は、主制御装置３００に内蔵のソフトタイマーが、リセットされて開放時間の計時を開始する。
【０２１３】
ステップ３１４０におけるＮＯとの判定に伴い、次のステップ３１５０において、Ｃ≧上限値（例えば、９）か否かについて判定される。ここで、Ｃ≧上限値において、Ｃは、第１大入賞口１０２への遊技球の入賞数をいう。現段階では、入賞数Ｃが上記上限値に達していなければ、ステップ３１５０における判定はＮＯとなる。
【０２１４】
然る後、大当たり時開放処理サブルーチン３１００が、少なくとも１回以上、ステップ３１４０に進んだとき、第１大入賞口１０２に対する上記開放時間が経過していれば、上述のソフトタイマーによる上述の所定の開放時間に対する計時結果に基づき、ＹＥＳと判定される。なお、ステップ３１４０においてＹＥＳと判定されることなく、入賞数Ｃがその上限値に達したときには、ステップ３１５０において、ＹＥＳと判定される。
【０２１５】
このように、ステップ３１４０或いはステップ３１５０における判定がＹＥＳになると、次のステップ３１５１における第１大入賞口閉鎖処理において、第１アタッカー１００が、可動部材１０１にて、ＣＰＵ３６０による制御のもと、第１大入賞口アクチュエータ１０３により駆動されて、第１大入賞口１０２を閉鎖する。
【０２１６】
ステップ３１５１の処理後、ステップ３１６０において、Ｒ＝上限回数か否かが判定される。本第１実施形態では、大当たり遊技であることから、ラウンド数の上限回数は、１５ラウンド大当たりにおける１５或いは２ラウンド大当たり（短当たり）における２である。現段階において、Ｒ＜上限回数であれば、ステップ３１６０においてＮＯと判定される。
【０２１７】
然る後、大当たり時開放処理サブルーチン３１００が、少なくとも１回以上、ステップ３１６０に達したときに、Ｒ＝上限回数になっていれば、ステップ３１３１における最新の更新ラウンド数Ｒに基づきＹＥＳと判定される。このことは、今回の大当たり遊技、換言すれば、１５ラウンド大当たり或いは短当たりの遊技が終了したことを意味する。
【０２１８】
これに伴い、次のステップ３１６１において、ラウンド数Ｒ＝０とクリアされた後、ステップ３１６２におけるエンディング処理において、大当たり終了を表すエンディング演出を画像表示器５０において後述のごとく開始ささせる処理がなされる。なお、このエンディング演出の時間、即ち、所定のエンディング時間は、当該主制御装置３００に内蔵のソフトタイマーにより計時される。
【０２１９】
現段階では、上記所定のエンディング時間は経過していないことから、ステップ３１７０においてＮＯと判定される。然る後、大当たり時開放処理サブルーチン３１００が、再度、ステップ３１２０に進むと、現段階では、既に、オープニング演出が終了していることから、ステップ３１２０において、ＮＯと判定される。すると、ステップ３１９０において開放中か否かが判定される。現段階では、第１大入賞口１０２は、上述のごとく、大当たり遊技の終了のため、既に閉鎖していることから、上述したステップ３１６０におけるＹＥＳとの判定に基づき、ステップ３１９０においてＮＯと判定される。
【０２２０】
これに伴い、ステップ３１９０ａにおいて、エンディング中か否かが判定される。ここで、上述のエンディング演出中であれば、ステップ３１９０ａにおいてＹＥＳと判定された後、ステップ３１７０における判定が行われる。一方、上述のエンディング演出が終了しておれば、ステップ３１９０ａにおいてＮＯと判定された後、ステップ３１９０ｂにおいてインターバル時間経過か否かが判定される。本第１実施形態において、当該インターバル時間とは、各ラウンド間の所定の経過時間、即ち、第１大入賞口１０２の閉鎖後開放までの時間をいう。なお、上記所定の経過時間は、主制御装置３００に内蔵のソフトタイマーにより計時される。
【０２２１】
しかして、現段階が、上述のステップ３１６０におけるＹＥＳとの判定前であれば、上記所定の経過時間が経過していなければ、ステップ３１９０ｂにおいてＮＯと判定される。その後、大当たり時開放処理サブルーチン３１００が、少なくとも１回以上、ステップ３１９０ｂに達したときに、上記所定の経過時間が経過していれば、上記ソフトタイマーによる所定の経過時間の計時結果に基づき、ステップ３１９０ｂにおいて、ＹＥＳと判定される。これに伴い、ステップ３１３０においてラウンド数Ｒが、式（１２）に基づき、加算更新される。なお、ステップ３１３１における加算更新処理は、ステップ３１３０におけるＹＥＳとの判定後及びこの判定後のステップ３１９０ｂにおけるＹＥＳとの各判定後において、１５回或いは２回に亘り、繰り返し、なされる。
【０２２２】
しかして、大当たり時開放処理サブルーチン３１００がステップ３１９０ａに進んだとき、１５回或いは２回に亘る大当たり遊技の終了後、エンディング中であれば、当該ステップにおける判定がＹＥＳになり、次のステップ３１７０において、エンディング時間の経過か否かが判定される。ここで、上記ソフトタイマーによる所定のエンディング時間の計時結果に基づき、ＹＥＳとなれば、次の大当たり遊技終了サブルーチン３１８０において、大当たり遊技が終了される。これに伴い、次の小当たり時開放処理サブルーチン３２００の処理が図３４のフローチャートに従い次のようになされる。
【０２２３】
小当たり時開放処理サブルーチン３２００において、ステップ３２１０（図３４参照）にて、オープニング中か否かが判定される。本第１実施形態において、当該オープニングとは、小当たり遊技の開始に伴いなされるオープニング演出をいう。ここで、オープニング中であれば、ステップ３２１０においてＹＥＳと判定される。これに伴い、次のステップ３２２０においてオープニング時間経過か否かが判定される。ここで、当該オープニング時間は、所定のオープニング時間として、主制御装置３００に内蔵のソフトタイマーにより計時される。
【０２２４】
現段階において、上記所定のオープニング時間が経過していないことから、ステップ３２２０における判定はＮＯとなる。然る後、小当たり時開放処理サブルーチン３２００が、少なくとも１回、ステップ３２２０に達したとき、上記所定のオープニング時間が経過しておれば、上記ソフトタイマーによる所定のオープニング時間の計時結果に基づき、当該ステップ３２２０において、ＹＥＳと判定される。
【０２２５】
これに伴い、次のステップ３２２１における大入賞口開放処理において、第１アタッカー１００が、短当たりの場合と同様に、可動部材１０１にて、ＣＰＵ３６０による制御のもと、第１大入賞口アクチュエータ１０３により駆動されて、第１大入賞口１０２を開放する。
【０２２６】
しかして、ステップ３２２１における処理の終了後、次のステップ３２３０において、開放時間経過か否かが判定される。本第１実施形態では、当該開放時間は、第１大入賞口１０２の小当たり用所定の開放時間として、主制御装置３００に内蔵のソフトタイマーにより計時される。現段階では、未だ所定の開放時間は経過していないことから、ステップ３２３０において、ＮＯと判定された後、次のステップ３２４０においてＣ≧９か否かが判定される。ここでは、小当たり遊技における第１大入賞口１０２の上述の開放に基づく入賞数Ｃが９未満であれば、ステップ３２４０においてＮＯと判定される。
【０２２７】
然る後、小当たり時開放処理サブルーチン３２００が、少なくとも１回以上、ステップ３２３０に達したとき、ステップ３２４０におけるＹＥＳとの判定前に、ＹＥＳと判定されると、ステップ３２４１における大入賞口閉鎖処理がなされる。また、ステップ３２３０におけるＹＥＳとの判定前に、ステップ３２４０においてＹＥＳと判定されたとき、同様に、ステップ３２４１における大入賞口閉鎖処理がなされる。これに伴い、第１アタッカー１００が、可動部材１０１にて、ＣＰＵ３６０による制御のもと、第１大入賞口アクチュエータ１０３により駆動されて、第１大入賞口１０２を閉鎖する。
【０２２８】
しかして、ステップ３２４１における処理の終了後、次のステップ３２４２におけるエンディング開始処理において、第１大入賞口１０２の閉鎖に伴う事実上の小当たり遊技終了後次の変動開始までの演出を画像表示器５０において開始させる処理がなされる。
【０２２９】
然る後、ステップ３２５０においてエンディング時間経過か否かが判定される。本第１実施形態において、このエンディング演出の時間、即ち、所定のエンディング時間は、当該主制御装置３００に内蔵のソフトタイマーにより計時される。
【０２３０】
現段階では、上記所定のエンディング時間が未だ経過していないことから、ステップ２５０における判定はＮＯとなる。そして、小当たり時間開放処理ルーチン３２００が、ステップ３２１０に再び進んだとき、上述のオープニング演出は既に終了済みであることから、ＮＯと判定される。ついで、ステップ３２１１においてエンディング中か否かが判定される。ここで、画像表示器５０におけるエンディング演出中であれば、エンディング中であることから、ステップ３２１１においてＹＥＳと判定される。なお、ここにおける「エンディング中」とは、画像表示器５０による演出処理が、小当たりの終了後次の変動開始までの演出処理中にあることをいう。
【０２３１】
然る後、小当たり時間開放処理ルーチン３２００が、少なくとも１回以上、ステップ３２１１を通りステップ３２５０に進んだとき、上述の所定のエンディング時間が経過しておれば、上記ソフトタイマーの計時結果に基づき、当該ステップ３２５０においてＹＥＳと判定された後、次の小当たり遊技終了処理サブルーチン３２６０において、画像表示器５０においてエンディング演出を終了させる処理がなされる。なお、上述のステップ３２１１における判定がＮＯとなる場合には、両ステップ３２３０、３２４０にて順次ＮＯと判定される。
（８）電チュー処理
以上のようにして大入賞口処理ルーチン３０００の処理が終了すると、次の電チュー処理ルーチン４０００（図２７参照）において、補助遊技の開始に伴うオープニング時間が経過しておれば、確変又は時短の遊技状態か否かに応じて、電動チューリップ６０ｂの開放時間がセットされ、これに伴い、電動チューリップ６０ｂの電動入賞口６２が開放され、然る後、電動チューリップ６０ｂが、電動入賞口６２を閉鎖する。
（９）出力処理
上述のように電チュー処理ルーチン３０００の処理が終了すると、次の出力処理ルーチン５０００において、乱数更新処理ルーチン５００〜電チュー処理ルーチン４００の各処理においてなされた電チューセンサＳ２の検出出力、普通入賞口センサＳ４の検出出力、第１大入賞口センサＳ５の検出出力その他の各種データが、副制御装置４００に出力される。
３．副制御装置側遊技作動モード
以上のように主制御装置側遊技作動モードの処理がなされると、副制御装置４００においては、払い出し制御部４００ａが払い出し遊技作動モードにおかれるとともに、演出制御部４００ｂが、表示制御部４００ｃ及びランプ制御部４００ｄとともに、演出遊技作動モードにおかれる。
（１）払い出し遊技作動モード
上述のように副制御装置４００の払い出し制御部４００ａが上記払い出し制御プログラムの実行を開始した後において、各種データが上述のごとく主制御装置４００から出力処理ルーチン５０００から副制御装置４００に出力されると、当該各種データが払い出しデータ（第１大入賞口センサＳ５の検出出力や第２大入賞口センサＳ６の検出出力）を含んでおれば、払い出し制御部４００ａが、ＣＰＵ４１３にて、当該払い出しデータをＩ／Ｆ４１１を介し入力されて遊技球の払い出し処理を行い、払い出し出力をＯ／Ｆ４１２から払い出し駆動モータＭに出力する。このため、上記払い出し機構が、払い出し駆動モータＭの駆動のもとに、所定の払い出し条件に応じて、遊技球を払い出す。
（２）演出遊技作動モード
上述のように副制御装置４００の演出制御部４００ｂが図３５のフローチャートに従い上記演出制御プログラムの実行を開始すると、乱数更新処理ルーチン７０００において、演出用乱数等の種々の乱数が、ＲＯＭ４２６に記憶済みの演出用乱数データ等の種々の乱数データに基づき更新される。
（１）各種入力処理
上述のように乱数更新処理ルーチン７０００の処理が終了すると、次の各種入力処理ルーチン８０００（図３５参照）において、小当たり或いは短当たりであれば、第２大入賞口センサＳ６の検出出力が有効な状態におかれ、第２大入賞口１７１への遊技球の入賞に対する第２大入賞口センサＳ６による報知抽選としての検出のもと、報知抽選実行の根拠となる遊技球の保留数が加算更新される。
（２）表示処理
上述のように各種入力処理ルーチン８０００の処理が終了すると、次の表示処理ルーチン９０００（図３５参照）において、主制御装置３００から出力処理ルーチン５０００（図２７参照）にて上述のごとく出力される各種データのうちの特別図柄に関するデータに基づき、当該特別図柄に対応する装飾図柄のセット処理がなされた後、上述のように出力される各種データのうちの大当たりを表すデータに基づき、大当たり遊技中を表す演出の表示処理がなされ、ついで、上述のように出力される各種データのうちの待機中等を表すデータに基づき、待機中等を表す演出の表示処理がなされ、その後、上述した報知抽選実行の根拠となる遊技球の保留数の最新値に基づき、報知抽選処理が繰り返される。
【０２３２】
そして、この報知抽選の結果が当たり或いはハズレであるとき、報知抽選図柄表示器１８０が、表示制御部４００ｃによる制御のもとに、当たり或いはハズレの変動表示を行う。然る後、報知抽選結果報知処理において、報知抽選結果が当たりのときには、報知抽選図柄表示器１８０が、表示制御部４００ｃによる制御のもとに、高確率或いは低確率を報知する。一方、報知抽選結果がハズレのときには、報知抽選図柄表示器１８０が、表示制御部４００ｃによる制御のもとに、ハズレを報知する。
【０２３３】
以上説明したように、本第１実施形態では、当該パチンコ遊技機による遊技者の遊技過程において、遊技球が、順次、案内レール２０の案内通路部１１ａを通し、遊技領域１２内に案内されるごとに、当該遊技球が、球戻り防止装置２００の球止め片２８０ｂに下方から衝突する。そして、このような衝突毎に、球止め片２８０ｂが、重錘２８０ｃの自重に抗して、図６或いは図２３にて示す傾動位置から内側レール部２０ａの組み付け部Ｒｐ側に向け、傾動する。これに伴い、球止め片２８０ｂに衝突する遊技球毎に、遊技領域１２内に案内される。
【０２３４】
このように、各遊技球が、順次、案内通路部１１ａを通り遊技領域１２内に案内されるごとに、球戻り防止装置２００の球止め片２８０ｂが、遊技球との衝突により上述のような傾動を繰り返しても、球戻り防止装置２００が、上述のごとく、内側レール部２０ａの組み付け部Ｒｐに対ししっかりと組み付けられているので、当該球戻り防止装置２００の内側レール部２０ａの組み付け部Ｒｐに対する上述した組み付け状態は、球止め片２８０ｂの遊技球との繰り返しの衝突により影響されることなく、なんら位置ずれ等を招くことなく良好に維持され得る。
【０２３５】
また、上述のように遊技領域１２に案内された遊技球が、第２アタッカー１７０の閉鎖状態においてその羽根１７２との衝突により弾かれたり、或いは、各遊技釘４２のいずれかにより弾かれたりすることで、内側レール部２０ａと外側レール部２０ｂとの間に戻ろうとしても、球戻り防止装置２００の球止め片２８０ｂが図６或いは図２３にて示す傾動状態にあれば、当該遊技球は、球止め片２８０ｂにより球止めされて遊技領域１２内に逆戻りする。従って、上述のように弾かれた遊技球が、内側レール部２０ａと外側レール部２０ｂとの間の案内通路部１１ａ内に戻ることはない。
【０２３６】
また、当該球戻り防止装置２００を内側レール部２０ａの組み付け部Ｒｐから取り外すにあたっては、例えば、マイナスドライバーの先端部を弾性板２４０と組み付け部Ｒｐとの間に挿入することで、当該弾性板２４０を組み付け部Ｒｐとは反対側に撓ませることで湾曲させれば、蓋板２６０の突起２６６を組み付け部Ｒｐの貫通孔部２４ｄから解離させることができる。そして、このような状態にて、当該球戻り防止装置２００を内側レール部２０ａの組み付け部Ｒｐから遊技板１０の前方方向へ引っ張れば、組み付け部Ｒｐの上方近傍その他の近傍に近接する各遊技球４２によって邪魔されることなく、円滑に、当該球戻り防止装置２００を内側レール部２０ａの組み付け部Ｒｐから取り外すことができる。なお、新品の球戻り防止装置を、上述した球戻り防止装置２００に代えて、内側レール部２０ａの組み付け部Ｒｐに組み付けるにあたっては、この組み付けは、上述と同様にすればよい。
（第２実施形態）
図３６〜図３９は、本発明の第２実施形態の要部を示している。この第２実施形態では、上記第１実施形態にて述べた内側レール部２０ａにおいて、組み付け部Ｒｐに代えて、図３６にて示すごとく、組み付け部Ｒｐａが設けられている。
【０２３７】
当該組み付け部Ｒｐａは、図３６にて示すごとく、内側レール部２０ａのうち組み付け部Ｒｐａ以外の部位と組み付け部Ｒｐａとの間の境界部２６（図３６にて二点鎖線参照）から一体的に延出してなるもので、この組み付け部Ｒｐａは、上記第１実施形態にて述べた遊技板１０の前面１１の外周左上側部位に位置している。
【０２３８】
ここで、当該組み付け部Ｒｐａは、上記第１実施形態にて述べた内側レール部２０ａの上記一端部側の壁部２７と、この壁部２７と内側レール部２０ａの境界部２６との間の壁部２８とによって構成されている。
【０２３９】
壁部２７は、組み付け部Ｒｐａを内側レール部２０ａの上記一端部側部位にて当該内側レール部２０ａの内側（遊技領域１２側）へＬ字状に屈曲して形成されている。壁部２８は、切り欠き部２８ａ及び貫通孔部２８ｂを有しており、切り欠き部２８ａは、壁部２８の長手方向中間部位にて当該壁部２８の両縁部のうち遊技板１０の前面１１側縁部側からこの前面１１に向けて矩形状に切り欠き形成されている。また、貫通孔部２８ｂは、壁部２８の幅方向の略中央部にて、当該幅方向に沿い切り欠き部２８ａと並ぶように貫通状に形成されている。
【０２４０】
また、本第２実施形態では、上記第１実施形態にて述べた球戻り防止装置２００において、主部材２００ａ及び副部材２００ｂに代えて、図３６及び図３７のいずれかにより示すごとく、主部材２００ｄ及び副部材２００ｅが採用されている。
【０２４１】
主部材２００ｄは、上記第１実施形態にて述べた主部材２００ａにおいて、基板２１０及び弾性板２４０に代えて、図３７にて示すごとく、基端壁部２４４、基板２１０Ａ、弾性片２４０ａ及び先端壁部２４５を採用した構成を有する。
【０２４２】
当該主部材２００ｄにおいて、上記第１実施形態にて述べた下壁２３０は、基板２１０Ａの下縁部の板厚方向一側部位のうち当該下縁部の横方向一端部（上記第１実施形態にて述べた主壁部２２２側の部位）以外の部位に対する対応部位から下方に向けて一体的に延出されており、当該下壁部２３０は、上記第１実施形態と同様に、主壁部２２２と一体となっている。
【０２４３】
基板２１０Ａは、上記第１実施形態にて述べた弾性板２４０の基端壁部２４１に対応する基端壁部２４４を有しており、この基端壁部２４４は、下壁２３０に対し上記所定の間隙（内側レール部２０ａの組み付け部Ｒｐａの板厚に相当する間隙）を介し平行に対向するように、基板２１０Ａの下縁部の板厚方向他側部位のうち当該下縁部の横方向一端部（上記第１実施形態にて述べた主壁部２２１側の部位）以外の部位に対する対応部位から下方に向けて延出されており、当該基端壁部２４４は、上記第１実施形態にて述べた基端壁部２４１とは異なり、主壁部２２１と一体となっている。
【０２４４】
これにより、空隙部Ｇａが、基板２１０Ａの下側及び主壁部２２１とは反対側へ開口するように、基端壁部２４４と下壁２３０との間に形成されている（図３７参照）。また、本第２実施形態では、空隙部Ｇｂが、図３９にて示すごとく、基板２１０Ａの板厚方向中間部位内にて、空隙部Ｇｂと共に、組み付け部Ｒｐａの縦断面形状に対応して、縦断面Ｌ字状の空隙Ｇを構成するように形成されている。
【０２４５】
弾性片２４０ａは、弾性片本体２４６と、第１及び第２の突起２４７及び２４８とを備えている。弾性片本体２４６は、その基端部２４６ａに対する主壁部２２１の対応部から当該主壁部２２１とは反対方向に向け、基端壁部２４４に平行となるように帯状に延出されている。これにより、当該弾性片本体２４６は、その弾性のもとに、その基端部２４６ａを基準に、その板厚方向に撓み可能となっている。
【０２４６】
第１突起２４７は、弾性片本体２４６の延出端部にて、その側壁部２２０ｂ側面から副部材２００ｂ側へ直方体状に突出するように形成されている。
【０２４７】
ここで、当該第１突起２４７の突出端面は、図３９にて示すごとく、両突出端面部２４７ａ、２４７ｂでもって構成されており、突出端面部２４７ａは、弾性片本体２４６の延出方向に対し平行となるように形成されている。また、突出端面部２４７ｂは、突出端面部２４７ａ（以下、平行端面部２４７ａともいう）の弾性片本体２４６の延出方向側端部から、弾性片本体２４６の延出方向に沿い、弾性片本体２４６の蓋板２６０Ａ側の面の延出先端部にかけて傾斜するように、傾斜端面部２４７ｂとして形成されている。なお、弾性片本体２４６の延出方向に沿う第１突起２４７と主壁部２２１との間の間隔は、内側レール部２０ａの組み付け部Ｒｐａの幅に等しい。
【０２４８】
第２突起２４８は、弾性片本体２４６の延出方向中央部から蓋板２６０Ａ（後述する）側へ円柱台状に突出するように形成されており、この第２突起２４８の外径は、弾性片本体２４６の幅よりも短い。
【０２４９】
本第２実施形態では、当該第２突起２４８の突出端面２４８ａは、主壁部２２１側の端部から弾性片本体２４６の延出方向に沿い当該弾性片本体２４６の蓋板２６０Ａ側の面に向けて傾斜するように、傾斜端面（以下、傾斜端面２４８ａという）として形成されている。但し、第２突起２４８の突出高さは、第１突起２４７の突出高さよりも低くなるように設定されている。
【０２５０】
先端壁部２４５は、その基端部に対する主壁部２２１に対する対応部から当該主壁部２２１とは反対方向に向け、弾性片本体２４６と平行となるように延出されている。なお、上記第１実施形態にて述べた両突出壁２５０は、上記第１実施形態にて述べた基板２１０上に代えて、基板２１０Ａ上において上記第１実施形態と同様に形成されている。また、上記第１実施形態にて述べた球戻り防止装置２００ｃは、上記第１実施形態にて述べた基板２１０上に代えて、基板２１０Ａ上において上記第１実施形態と同様に組み付けられている。
【０２５１】
副部材２００ｅは、上記第１実施形態にて述べた副部材２００ｂにおいて、蓋板２６０に代えて、図３７〜図３９にて示すごとく、蓋板２６０Ａを採用した構成を有する。
【０２５２】
この蓋板２６０Ａは、上記第１実施形態にて述べた両脚片２７０と一体となって副部材２００ｅを構成しており、当該蓋板２６０Ａは、上記第１実施形態にて述べた蓋板２６０において弾性板２４０に対する対向面（面２６１ａ、上記縦断面台形状の屈曲面及び面２６３ａ）に代えて、図３７〜図３９のいずれかにて示すごとく、平面２６７を凹所２６７ａと共に採用した構成を有する。
【０２５３】
ここで、蓋板２６０Ａは、その平面２６７にて、下壁２３０の空隙部Ｇａ側の面と同一面内に位置し得るように、形成されている。凹所２６７ａは、蓋板２６０Ａのうち弾性片２４０ａの第１突起２４７に対する対応部位を、矩形状に切り欠くことで形成されている（図３７及び図３９参照）。球戻り防止装置２００のその他の構成は、上記第１実施形態と同様である。
【０２５４】
本第２実施形態において、以上のような構成を有する球戻り防止装置２００は、次のようにして、組み立てられる。まず、図３７にて示すごとく、上述のように構成した主部材２００ｄ、副部材２００ｅ、及び支持ピン２８０ｄを含む球止め機構２００ｃを準備する。
【０２５５】
しかして、上記第１実施形態と同様に球戻り防止装置２００の支持ピン２８０ｄを、その両延出端部にて、主部材２００ｄの両突出壁２５０の各凹部２５３内に収容する。然る後、副部材２００ｅを、次のようにして、球止め機構２００ｃを介し、主部材２００ｄに組み付ける。
【０２５６】
まず、両脚片２７０が両回動壁２５０に対向し、かつ、蓋板２６０Ａが主壁部２２１、下壁２３０、弾性片２４０ａ及び先端壁部２４５に対向して位置するように、副部材２００ｅを、図３７にて図示上方から、主部材２００ｄに対向させる。
【０２５７】
このような状態にて、側板２２０の突部２２３が蓋板２６０Ａの溝部２６５内にその長手方向に沿い上方から嵌装されるとともに両突出壁２５０が両脚片２７０の各基端側片部２７１上に接合されるように、副部材２００ｅを主部材２００ｄに組み付ける。ここで、両脚片２７０の各先端突部２７３の突出端面２７３ａは、上記第１実施形態と同様に、主部材２００ｄの各凹所２５４の底面２５４ａと同一の傾斜方向に形成されているので、副部材２００ｅは、主部材２００ｄに対する組み付けの際に、溝部２６５にて、主部材２００ｄの突部２２３に対し両脚片２７０の延出方向とは逆方向に向け押し付けられる。このため、蓋板２６０Ａの補助壁部２２２に対する組み付けがより一層良好になされ得る。
【０２５８】
これにより、副部材２００ｅは、主部材２００ｄに球止め機構２００ｃを介し相対的に位置ずれ不能にしっかりと組み付けられ得る。
【０２５９】
また、本第２実施形態においては、上述のように組み立てられている球戻り防止装置２００は、上記第１実施形態にて述べた遊技盤Ｂａの組み立てにあたり、次のようにして、内側レール部２０ａの組み付け部Ｒｐａに着脱可能に組み付けられる。
【０２６０】
まず、上述のように組み立てた球戻り防止装置２００が、主部材２００ｄ及び副部材２００ｅを、弾性片２４０ａの第１突起２４７の側から、内側レール部２０ａの組み付け部Ｒｐａの一側縁部（組み付け部Ｒｐａの遊技板１０の前面１１側とは反対側の側縁部）に対向させるように、把持する（図３８参照）。この把持は、組み付け部Ｒｐａが、その壁部２７にて、基板２１０Ａの空隙部Ｇａに対応し、壁部２８にて、空隙部Ｇｂ、弾性片２４０ａ及び先端壁部２４５に対応し、かつ、貫通孔部２８ｂにて、弾性片２４０ａの先端部に対応するように行う。
【０２６１】
然る後、球戻り防止装置２００を、そのまま、内側レール部２０ａの組み付け部Ｒｐａに向けて移動させる。これに伴い、組み付け部Ｒｐａが、その上記一側縁部から、基板２１０ａの空隙部Ｇ、並びに蓋板２６０Ａと弾性片２４０Ａ及び先端壁部２４５との間に挿入される。このとき、組み付け部Ｒｐａが組み付け部Ｒｐと同様の板厚を有するとともに、弾性片２４０ａの第１突起２４７の斜端面部２４７ｂは、弾性片本体２４６の延出方向に沿い、蓋板２６０Ａの凹所２６７ａから離れるように傾斜して形成されている。このため、上述した組み付け部Ｒｐａの挿入は、弾性片２４０ａの弾性片本体２４６の弾性に抗して円滑になされる。
【０２６２】
このような挿入に伴い、組み付け部Ｒｐａは、さらに、第２突起２４８を越えて主壁部２２１側へ挿入される。ここで、第２突起２４８の突出高さは、第１突起２４７の突出高さよりも低く、かつ、当該第２突起２４８の突出端面２４８ａが弾性片本体２４６の延出方向に沿いその面に向け傾斜しているので、組み付け部Ｒｐａは、第２突起２４８にひっかかることなく、当該第２突起２４８を越えて円滑に挿入され得る。
【０２６３】
このような挿入に応じて、第２突起２４８が、組み付け部Ｒｐａの貫通孔部２８ｂ内に係合するとともに、組み付け部Ｒｐａが、第１突起２４７と主壁部２２１との間に挟持される。これに伴い、弾性片２４０ａが、その弾性力により、原形状に復帰して、第１突起２４７にて蓋板２６０Ａの凹所２６７ａ内に係合する。
【０２６４】
これにより、内側レール部２０ａの組み付け部Ｒｐａが、蓋板２６０Ａと弾性片本体２４６及び先端壁部２４５との間にて、貫通孔部２８ｂにて第２突起２４８と係合し、かつ壁部２８にて主壁部２２１と第１突起２４７との間に挟持された状態にて、壁部２７により基板２１０Ａの空隙部Ｇｂ内に保持される。
【０２６５】
従って、当該球戻り防止装置２００は、第２突起２２４８の組み付け部Ｒｐａの貫通孔部２８ｂとの係合により、組み付け部Ｒｐａから離脱することなく、しっかりと、当該組み付け部Ｒｐａにより保持され得る。ここで、内側レール部２０ａが、Ｌ字形状を構成する両壁部２７、２８にて、基板２１０ＡのＬ字形状の空隙部Ｇ内に保持されているので、当該球戻り防止装置が、内側レール部２０ａの壁部２８の面に沿い遊技盤Ｂａの盤面１１の前方側へ傾動することなく、しっかりと、保持され得る。
【０２６６】
このような球戻り防止装置の組み付けにあたっては、当該球戻り防止装置２００が、遊技板１０の前面１１に沿い内側レール部２０ａの組み付け部Ｒｐａにその上方から組み付けられるのではなく、遊技板１０の前面１１の前方から組み付け部Ｒｐａの幅方向に沿い前面１１に向けて組み付けられる。
【０２６７】
従って、上述したごとく、各遊技釘４２が、内側レール部２０ａの組み付け部Ｒｐａの上方近傍その他の近傍に近接して位置していても、当該各遊技釘４２が、一側先端部２１に対する球戻り防止装置２００の組み付け作業の邪魔になることがなく、球戻り防止装置２００を組み付け部Ｒｐａに対し円滑に組み付けることができる。その他の作用効果は、上記第１実施形態と実質的に同様である。
（第３実施形態）
図４０及び図４１は、本発明の第３実施形態の要部を示している。この第３実施形態では、上記第２実施形態にて述べた内側レール部２０ａにおいて、組み付け部Ｒｐａに代えて、図４０にて示すごとく、組み付け部Ｒｐｂが設けられており、この組み付け部Ｒｐｂは、組み付け部Ｒｐａと同様に、上記第１実施形態にて述べた遊技板１０の前面１１の外周左上側部位に位置している。
【０２６８】
当該組み付け部Ｒｐｂは、組み付け部Ｒｐａの壁部２８と、壁部２７に代わる半円筒状壁部２９とによって構成されている。壁部２９は、壁部２８から上方へ半円筒状に湾曲するように形成されている。
【０２６９】
また、本第３実施形態では、上記第２実施形態にて述べた球戻り防止装置２００において、主部材２００ｄの基板２１０Ａに形成した空隙Ｇが、空隙部Ｇａと、空隙部Ｇｂに代わる空隙部Ｇｃとにより構成されている。空隙部Ｇｃは、基板２１０Ａにおいて、図４１にて示すごとく、空隙部Ｇａから両突出壁２５０側かつ下壁２３０の上側へ、半円筒状に延出して形成されている。その他の構成は、上記第２実施形態と同様である。
【０２７０】
このように構成した本第３実施形態では、球戻り防止装置２００を、内側レール部２０ａの組み付け部Ｒｐｂに着脱可能に組み付けるにあたっては、内側レール部２０ａの組み付け部Ｒｐｂが、蓋板２６０Ａと弾性片本体２４６及び先端壁部２４５との間にて、貫通孔部２８ｂにて第２突起２４８と係合し、かつ壁部２８にて主壁部２２１と第１突起２４７との間に挟持された状態にて、壁部２９により基板２１０Ａの空隙部Ｇｃ内に保持される。
【０２７１】
これにより、本第３実施形態のように、組み付け部Ｒｐｂが、上記第２実施形態にて述べた組み付け部Ｐｐａの壁部２７とは異なり、半円筒状の壁部２９を有していても、上記第２実施形態と実質的に同様の作用効果を達成することができる。
（第４実施形態）
図４２及び図４３は、本発明の第４実施形態の要部を示している。この第４実施形態では、上記第２実施形態にて述べた内側レール部２０ａにおいて、組み付け部Ｒｐａに代えて、図４２にて示すごとく、組み付け部Ｒｐｃが設けられており、この組み付け部Ｒｐｃは、組み付け部Ｒｐａと同様に、上記第１実施形態にて述べた遊技板１０の前面１１の外周左上側部位に位置している。
【０２７２】
当該組み付け部Ｒｐｃは、組み付け部Ｒｐａの壁部２８のみによって構成されおり、この壁部２８には、凹所２８ａに加えて、両凹所２８ｃ、２８ｄが形成されている。ここで、当該両凹所２８ｃ、２８ｄは、図４２にて示すごとく、組み付け部Ｒｐｃの幅方向両縁部のうち凹所２８ａを形成した縁部とは反対側の縁部に対し矩形状に切り欠き形成されている。但し、両凹所２８ｃ、２８ｄは、図４２にて示すごとく、上記反対側の縁部に沿い互いに所定間隔をおいて形成されている。
【０２７３】
また、本第３実施形態では、上記第２実施形態にて述べた球戻り防止装置２００において、主部材２００ｄの基板２１０Ａに形成される空隙が、基板２１０Ａにおいて、第２実施形態にて述べた空隙Ｇａのみにより構成されている。
【０２７４】
さらに、本第３実施形態では、主壁部２２１は、図４３にて示すごとく、両突起２２１ａ、２２１ｂを設けてなり、これら両突起２２１ａ、２２１ｂは、組み付け部Ｒｐａの壁部２８の両凹所２８ｃ、２８ｄ内に係合し得るように、主壁部２２１のうち弾性片２４６の基端部の幅方向両側に対応する各部位から弾性片本体２４６の延出方向に突出形成されている。その他の構成は、上記第２実施形態と同様である。
【０２７５】
このように構成した本第４実施形態では、球戻り防止装置２００を、内側レール部２０ａの組み付け部Ｒｐｃに着脱可能に組み付けるにあたっては、内側レール部２０ａの組み付け部Ｒｐｃが、蓋板２６０Ａと弾性片本体２４６及び先端壁部２４５との間にて、貫通孔部２８ｂにて第２突起２４８と係合し、両凹所２８ｃ、２８ｄ内に、主壁部２２１の両突起２２１ａ、２２１ｂを係合させ、かつ壁部２８にて主壁部２２１と第１突起２４７との間に挟持されるとともに基板２１０Ａの空隙部Ｇａ内に保持される。
【０２７６】
これにより、本第４実施形態のように、組み付け部Ｒｐｃが、上記第２実施形態にて述べた組み付け部Ｐｐａとは異なり、両凹所２８ｃ、２８ｄを付加した壁部２８のみにより構成され、かつ、主壁部２２１が両突起２２１ａ、２２１ｂを有するように構成されていても、上記第２実施形態と実質的に同様の作用効果を達成することができる。
【０２７７】
なお、本発明の実施にあたり、上記各実施形態に限ることなく、次のような種々の変形例が挙げられる。
（１）本発明の実施にあたり、上記第１実施形態にて述べた球戻り防止装置２００において、弾性板２４０及び蓋板２６０の側板２２０とは反対側の各端部のうち少なくともその一方は、内側レール部２０ａの組み付け部Ｒｐを弾性板２４０と蓋板２６０との間に挿入し易いように、横断面テーパ状に形成してもよい。
（２）本発明の実施にあたり、球戻り防止装置２００の蓋板２６０に設けた突起２６６は、上記第１実施形態とは異なり、弾性板２４０における中央壁部２４２の頂壁部２４２ａの中央部から蓋板２６０側に向けて突出形成するようにしてもよい。
（３）本発明の実施にあたり、球戻り防止装置２００の球止め機構２００ｃは、上記各実施形態にて述べた重錘２８０ｃに限ることなく、重りとしての役割を果たすものであれば、どのような構成の重錘であってもよい。
（４）本発明の実施にあたり、上記第１実施形態にて述べた側板２２０の補助壁部２２２は、上記第１実施形態とは異なり、蓋板２６０の切り欠き部２６４に代えて、当該蓋板２６０と一体であってもよい。
（５）本発明の実施にあたり、上記第１実施形態にて述べた下壁２３０は、上記第１実施形態とは異なり、蓋板２６０と一体であってもよい。
（６）本発明の実施にあたり、球戻り防止装置２００では、上記第１実施形態とは異なり、主部材２００ａの板枠２１０と副部材２００ｂの下壁２３０とでもって一体的に板状装置本体として構成し、かつ、主部材２００ａのＬ字壁２２０ａ及び側壁２２０ｂと副部材２００ｂのＵ字壁２４０ａとでもって、板体として構成するようにしても、上記実施形態と同様の作用効果を達成することができる。
【符号の説明】
【０２７８】
Ｂａ…遊技盤、Ｆ…凹所、Ｇａ、Ｇｂ、Ｇｃ…空隙部、
Ｒｐ、Ｒｐａ、Ｒｐｃ…組み付け部、１１…前面、１２…遊技領域、２０…案内レール、
２０ａ…内側レール部、２０ｂ…外側レール部、２４…屈曲壁部、
２４ｄ、２８ｂ…貫通孔部、２７、２８、２９…壁部、２８ａ、２８ｃ、２８ｄ…凹所、
３０…センター構造物、４１、４２…遊技釘、２００ａ…主部材、２００ｂ…副部材、
２００ｃ…球止め機構、５０…画像表示器、６０ａ…スタートチャッカー、
６０ｂ…電動チューリップ、７０…スルーゲート、８０…風車、９０…普通入賞口、
１００、１７０…アタッカー、１１０…星形盤ランプ、１２０…星形可動役物、
２１０、２１０Ａ…基板、２２０…側板、２２１ａ、２２１ｂ…突起、２３０…下壁、
２４０…弾性板、２４０ａ…弾性片、２４２…中央壁部、２４４…基端壁部、
２４５…先端壁部、２４６…弾性片本体、２４７、２４８…突起、２５０…突出壁、
２５３…凹部、２６０、２６０Ａ…蓋板、２６２…、２６６…突起、２７０…脚片、
２８０ａ…回動軸、２８０ｂ…球止め片、２８０ｃ…重錘、２８０ｄ…支持ピン。
【図１】
2011030966.tif 000003
【図２】
2011030966.tif 000004
【図３】
2011030966.tif 000005
【図４】
2011030966.tif 000006
【図５】
2011030966.tif 000007
【図６】
2011030966.tif 000008
【図７】
2011030966.tif 000009
【図８】
2011030966.tif 000010
【図９】
2011030966.tif 000011
【図１０】
2011030966.tif 000012
【図１１】
2011030966.tif 000013
【図１２】
2011030966.tif 000014
【図１３】
2011030966.tif 000015
【図１４】
2011030966.tif 000016
【図１５】
2011030966.tif 000017
【図１６】
2011030966.tif 000018
【図１７】
2011030966.tif 000019
【図１８】
2011030966.tif 000020
【図１９】
2011030966.tif 000021
【図２０】
2011030966.tif 000022
【図２１】
2011030966.tif 000023
【図２２】
2011030966.tif 000024
【図２３】
2011030966.tif 000025
【図２４】
2011030966.tif 000026
【図２５】
2011030966.tif 000027
【図２６】
2011030966.tif 000028
【図２７】
2011030966.tif 000029
【図２８】
2011030966.tif 000030
【図２９】
2011030966.tif 000031
【図３０】
2011030966.tif 000032
【図３１】
2011030966.tif 000033
【図３２】
2011030966.tif 000034
【図３３】
2011030966.tif 000035
【図３４】
2011030966.tif 000036
【図３５】
2011030966.tif 000037
【図３６】
2011030966.tif 000038
【図３７】
2011030966.tif 000039
【図３８】
2011030966.tif 000040
【図３９】
2011030966.tif 000041
【図４０】
2011030966.tif 000042
【図４１】
2011030966.tif 000043
【図４２】
2011030966.tif 000044
【図４３】
2011030966.tif 000045